(57)【特許請求の範囲】
【請求項１】
少なくとも１つの制御タイミングコンフィギュレーション番号を決定するための、基地局（103）における方法であって、
前記少なくとも１つの制御タイミングコンフィギュレーション番号は、マルチプルセル通信ネットワークにおいてユーザ装置（101）との間の制御タイミングをコンフィギュレーションするためのサブフレームタイミング設定を提供し、
前記方法は、
前記マルチプルセル通信ネットワークの複数のアグリゲーションされたセルについて、少なくとも１つの制御タイミングコンフィギュレーション番号を決定するステップ（10）であって、アグリゲーションされた各セルは時分割複信（ＴＤＤ）上りリンク−下りリンクコンフィギュレーション番号に関連付けられており、前記複数のアグリゲーションされたセルの少なくとも２つのＴＤＤ上りリンク−下りリンクコンフィギュレーション番号は等しくなく、前記複数のアグリゲーションされたセルは前記ユーザ装置（101）と関連付けられており、前記少なくとも１つの制御タイミングコンフィギュレーション番号は、アグリゲーションされた各セルの前記ＴＤＤ上りリンク−下りリンクコンフィギュレーション番号についての、サブフレームタイミングの互換性に基づいて決定される、前記決定するステップ（10）と、
前記少なくとも１つの制御タイミングコンフィギュレーション番号を前記ユーザ装置（101）に割り当てるステップ（18）と
を含むことを特徴とする方法。
【請求項２】
前記少なくとも１つの制御タイミングコンフィギュレーション番号は、前記複数のアグリゲーションされたセルにわたって下りリンク・ハイブリッド自動再送要求（ＨＡＲＱ）Ａ／Ｎタイミングを確立するための、下りリンクＨＡＲＱ制御タイミングコンフィギュレーションを示す
ことを特徴とする請求項１に記載の方法。
【請求項３】
前記少なくとも１つの制御タイミングコンフィギュレーション番号は、前記複数のアグリゲーションされたセルにわたって上りリンクスケジューリンググラント・タイミングと確認応答／否定応答（Ａ／Ｎ）タイミングとの少なくともいずれかを確立するための、上りリンク制御タイミングコンフィギュレーション番号を示す
ことを特徴とする請求項１または２に記載の方法。
【請求項４】
前記少なくとも１つの制御タイミングコンフィギュレーション番号は、前記複数のアグリゲーションされたセルの前記ＴＤＤ上りリンク−下りリンクコンフィギュレーション番号のうちの１つと等しい
ことを特徴とする請求項１から３のいずれか１項に記載の方法。
【請求項５】
前記少なくとも１つの制御タイミングコンフィギュレーション番号は、前記複数のアグリゲーションされたセルの前記ＴＤＤ上りリンク−下りリンクコンフィギュレーション番号のいずれとも等しくない
ことを特徴とする請求項１から３のいずれか１項に記載の方法。
【請求項６】
前記少なくとも１つの制御タイミングコンフィギュレーション番号は、前記ユーザ装置及び前記ネットワークとの間で競合することなく制御データが送受信されるように決定される
ことを特徴とする請求項１から５のいずれか１項に記載の方法。
【請求項７】
前記決定するステップ（10）は、前記複数のアグリゲーションされたセルの前記ＴＤＤ上りリンク−下りリンクコンフィギュレーション番号に基づいて、前記少なくとも１つの制御タイミングコンフィギュレーション番号を決定するステップ（11）を含む
ことを特徴とする請求項１から６のいずれか１項に記載の方法。
【請求項８】
前記決定するステップ（10）は、サブフレームタイミングの互換性の順序付けに基づいて、前記少なくとも１つの制御タイミングコンフィギュレーション番号を決定するステップ（12）を含む
ことを特徴とする請求項７に記載の方法。
【請求項９】
前記決定するステップ（12）は、前記順序付けのうちの上位レベルにあるＴＤＤ上りリンク−下りリンクコンフィギュレーションが、当該順序付けのうちの下位レベルにあるＴＤＤ上りリンク−下りリンクコンフィギュレーションからの全ての上りリンクサブフレームの上位集合である上りリンクサブフレームを含むように、サブフレームタイミングの互換性の前記順序付けを配列するステップ（14）を更に含む
ことを特徴とする請求項８に記載の方法。
【請求項１０】
前記決定するステップ（12）は、前記順序付けのうちの下位レベルにあるＴＤＤ上りリンク−下りリンクコンフィギュレーションが、当該順序付けのうちの上位レベルにあるＴＤＤ上りリンク−下りリンクコンフィギュレーションからの全ての下りリンクサブフレームの上位集合である下りリンクサブフレームを含むように、サブフレームタイミングの互換性の前記順序付けを配列するステップ（16）を更に含む
ことを特徴とする請求項８または９に記載の方法。
【請求項１１】
前記割り当てるステップ（18）は、前記少なくとも１つの制御タイミングコンフィギュレーション番号を、無線リソース制御（ＲＲＣ）シグナリングによって前記ユーザ装置に通信するステップを含む
ことを特徴とする請求項１から１０のいずれか１項に記載の方法。
【請求項１２】
前記割り当てるステップ（18）は、競合しているサブフレームの存在下で、順方向サブフレーム下りリンクスケジューリング・タイミングを、物理下りリンク制御チャネル（ＰＤＣＣＨ）に対して割り当てるステップ（20）を含む
ことを特徴とする請求項１から１１のいずれか１項に記載の方法。
【請求項１３】
前記割り当てるステップ（18）は、競合しているサブフレームの存在下で、コンポーネントキャリア間順方向サブフレーム下りリンクスケジューリング・タイミングを、物理下りリンク制御チャネル（ＰＤＣＣＨ）に対して割り当てるステップ（22）を含む
ことを特徴とする請求項１から１２のいずれか１項に記載の方法。
【請求項１４】
少なくとも１つの制御タイミングコンフィギュレーション番号を決定するための基地局（103）であって、
前記少なくとも１つの制御タイミングコンフィギュレーション番号は、マルチプルセル通信ネットワークにおいてユーザ装置（101）との間の制御タイミングをコンフィギュレーションするためのサブフレームタイミング設定を提供し、
前記基地局（103）は、
前記マルチプルセル通信ネットワークの複数のアグリゲーションされたセルについて、少なくとも１つの制御タイミングコンフィギュレーション番号を決定する決定ユニット（308）であって、アグリゲーションされた各セルは時分割複信（ＴＤＤ）上りリンク−下りリンクコンフィギュレーション番号に関連付けられており、前記複数のアグリゲーションされたセルの少なくとも２つのＴＤＤ上りリンク−下りリンクコンフィギュレーション番号は等しくなく、前記複数のアグリゲーションされたセルは前記ユーザ装置（101）と関連付けられており、前記少なくとも１つの制御タイミングコンフィギュレーション番号は、アグリゲーションされた各セルの前記ＴＤＤ上りリンク−下りリンクコンフィギュレーション番号についての、サブフレームタイミングの互換性に基づいて決定される、前記決定ユニット（308）と、
前記少なくとも１つの制御タイミングコンフィギュレーション番号を前記ユーザ装置（101）に割り当てる割当てユニット（310）と
を備えることを特徴とする基地局。
【請求項１５】
前記少なくとも１つの制御タイミングコンフィギュレーション番号は、前記複数のアグリゲーションされたセルにわたって下りリンク・ハイブリッド自動再送要求（ＨＡＲＱ）Ａ／Ｎタイミングを確立するための、下りリンクＨＡＲＱ制御タイミングコンフィギュレーションを示す
ことを特徴とする請求項１４に記載の基地局。
【請求項１６】
前記少なくとも１つの制御タイミングコンフィギュレーション番号は、前記複数のアグリゲーションされたセルにわたって上りリンクスケジューリンググラント・タイミングと確認応答／否定応答（Ａ／Ｎ）タイミングとの少なくともいずれかを確立するための、上りリンク制御タイミングコンフィギュレーション番号を示す
ことを特徴とする請求項１４または１５に記載の基地局。
【請求項１７】
前記少なくとも１つの制御タイミングコンフィギュレーション番号は、前記複数のアグリゲーションされたセルの前記ＴＤＤ上りリンク−下りリンクコンフィギュレーション番号のうちの１つと等しい
ことを特徴とする請求項１４から１６のいずれか１項に記載の基地局。
【請求項１８】
前記少なくとも１つの制御タイミングコンフィギュレーション番号は、前記複数のアグリゲーションされたセルの前記ＴＤＤ上りリンク−下りリンクコンフィギュレーション番号のいずれとも等しくない
ことを特徴とする請求項１４から１６のいずれか１項に記載の基地局。
【請求項１９】
前記少なくとも１つの制御タイミングコンフィギュレーション番号は、前記ユーザ装置及び前記ネットワークとの間で競合することなく制御データが送受信されるように決定される
ことを特徴とする請求項１４から１８のいずれか１項に記載の基地局。
【請求項２０】
前記決定ユニット（308）は、前記複数のアグリゲーションされたセルの前記ＴＤＤ上りリンク−下りリンクコンフィギュレーション番号に基づいて、前記少なくとも１つの制御タイミングコンフィギュレーション番号を決定する
ことを特徴とする請求項１４から１９のいずれか１項に記載の基地局。
【請求項２１】
前記決定ユニット（308）は、サブフレームタイミングの互換性の順序付けに基づいて、前記少なくとも１つの制御タイミングコンフィギュレーション番号を決定する
ことを特徴とする請求項２０に記載の基地局。
【請求項２２】
前記順序付けのうちの上位レベルにあるＴＤＤ上りリンク−下りリンクコンフィギュレーションが、当該順序付けのうちの下位レベルにあるＴＤＤ上りリンク−下りリンクコンフィギュレーションからの全ての上りリンクサブフレームの上位集合である上りリンクサブフレームを含むように、サブフレームタイミングの互換性の前記順序付けが配列される
ことを特徴とする請求項２１に記載の基地局。
【請求項２３】
前記順序付けのうちの下位レベルにあるＴＤＤ上りリンク−下りリンクコンフィギュレーションが、当該順序付けのうちの上位レベルにあるＴＤＤ上りリンク−下りリンクコンフィギュレーションからの全ての下りリンクサブフレームの上位集合である下りリンクサブフレームを含むように、サブフレームタイミングの互換性の前記順序付けが配列される
ことを特徴とする請求項２１または２２に記載の基地局。
【請求項２４】
前記割当てユニット（310）は、前記少なくとも制御１つのタイミングコンフィギュレーション番号を、無線リソース制御（ＲＲＣ）シグナリングによって前記ユーザ装置に通信する
ことを特徴とする請求項１４から２３のいずれか１項に記載の基地局。
【請求項２５】
前記割当てユニット（310）は、競合しているサブフレームの存在下で、順方向サブフレーム下りリンクスケジューリング・タイミングを、物理下りリンク制御チャネル（ＰＤＣＣＨ）に対して割り当てる
ことを特徴とする請求項１４から２４のいずれか１項に記載の基地局。
【請求項２６】
前記割当てユニット（310）は、競合しているサブフレームの存在下で、コンポーネントキャリア間順方向サブフレーム下りリンクスケジューリング・タイミングを、物理下りリンク制御チャネル（ＰＤＣＣＨ）に対して割り当てる
ことを特徴とする請求項１４から２５のいずれか１項に記載の基地局。
【請求項２７】
少なくとも１つの制御タイミングコンフィギュレーション番号を決定するための、ユーザ装置（101）における方法であって、
前記少なくとも１つの制御タイミングコンフィギュレーション番号は、マルチプルセル通信ネットワークにおいてユーザ装置（101）についての制御タイミングをコンフィギュレーションするためのサブフレームタイミング設定を提供し、
前記方法は、
前記マルチプルセル通信ネットワークの複数のアグリゲーションされたセルについて、少なくとも１つの制御タイミングコンフィギュレーション番号を決定するステップ（30）であって、アグリゲーションされた各セルは時分割複信（ＴＤＤ）上りリンク−下りリンクコンフィギュレーション番号に関連付けられており、前記複数のアグリゲーションされたセルの少なくとも２つのＴＤＤ上りリンク−下りリンクコンフィギュレーション番号は等しくなく、前記複数のアグリゲーションされたセルは前記ユーザ装置（101）と関連付けられており、前記少なくとも１つの制御タイミングコンフィギュレーション番号は、アグリゲーションされた各セルの前記ＴＤＤ上りリンク−下りリンクコンフィギュレーション番号についての、サブフレームタイミングの互換性に基づいて決定される、前記決定するステップ（30）と、
前記少なくとも１つの制御タイミングコンフィギュレーション番号に基づく制御タイミングを実装するステップ（33）と、
を含むことを特徴とする方法。
【請求項２８】
前記少なくとも１つの制御タイミングコンフィギュレーション番号は、前記複数のアグリゲーションされたセルにわたって下りリンク・ハイブリッド自動再送要求（ＨＡＲＱ）Ａ／Ｎタイミングを確立するための、下りリンクＨＡＲＱ制御タイミングコンフィギュレーションを示す
ことを特徴とする請求項２７に記載の方法。
【請求項２９】
前記少なくとも１つの制御タイミングコンフィギュレーション番号は、前記複数のアグリゲーションされたセルにわたって上りリンクスケジューリンググラント・タイミングと確認応答／否定応答（Ａ／Ｎ）タイミングとの少なくともいずれかを確立するための、上りリンク制御タイミングコンフィギュレーション番号を示す
ことを特徴とする請求項２７または２８に記載の方法。
【請求項３０】
前記少なくとも１つの制御タイミングコンフィギュレーション番号は、前記複数のアグリゲーションされたセルの前記ＴＤＤ上りリンク−下りリンクコンフィギュレーション番号のうちの１つと等しい
ことを特徴とする請求項２７から２９のいずれか１項に記載の方法。
【請求項３１】
前記少なくとも１つの制御タイミングコンフィギュレーション番号は、前記複数のアグリゲーションされたセルの前記ＴＤＤ上りリンク−下りリンクコンフィギュレーション番号のいずれとも等しくない
ことを特徴とする請求項２７から２９のいずれか１項に記載の方法。
【請求項３２】
前記実装するステップ（33）は、前記ユーザ装置及び前記ネットワークとの間で競合することなく制御データが送受信されるように、前記少なくとも１つの制御タイミングコンフィギュレーション番号に基づいて当該制御データをスケジューリングするステップ（37）を含む
ことを特徴とする請求項２７から３１のいずれか１項に記載の方法。
【請求項３３】
前記決定するステップ（30）は、前記少なくとも１つの制御タイミングコンフィギュレーション番号を基地局（103）から受信するステップ（31）を含む
ことを特徴とする請求項２７から３２のいずれか１項に記載の方法。
【請求項３４】
前記少なくとも１つの制御タイミングコンフィギュレーション番号は、無線リソース制御（ＲＲＣ）シグナリングによって受信される
ことを特徴とする請求項３３に記載の方法。
【請求項３５】
前記決定するステップ（30）は、前記ユーザ装置及び前記ネットワークとの間で競合することなく制御データが送受信されるように、前記少なくとも１つの制御タイミングコンフィギュレーション番号を決定するステップ（32）を含む
ことを特徴とする請求項２７から３４のいずれか１項に記載の方法。
【請求項３６】
前記実装するステップ（33）は、競合しているサブフレームの存在下で、順方向サブフレーム下りリンクスケジューリング・タイミングを、物理下りリンク制御チャネル（ＰＤＣＣＨ）に対してスケジューリングするステップ（34）を含む
ことを特徴とする請求項２７から３５のいずれか１項に記載の方法。
【請求項３７】
前記実装するステップ（33）は、競合しているサブフレームの存在下で、コンポーネントキャリア間順方向サブフレーム下りリンクスケジューリング・タイミングを、物理下りリンク制御チャネル（ＰＤＣＣＨ）に対してスケジューリングするステップ（36）を含む
ことを特徴とする請求項２７から３６のいずれか１項に記載の方法。
【請求項３８】
少なくとも１つの制御タイミングコンフィギュレーション番号を決定するためのユーザ装置（101）であって、
前記少なくとも１つの制御タイミングコンフィギュレーション番号は、マルチプルセル通信ネットワークにおいてユーザ装置（101）についての制御タイミングをコンフィギュレーションするためのサブフレームタイミング設定を提供し、
前記ユーザ装置（101）は、
前記マルチプルセル通信ネットワークの複数のアグリゲーションされたセルについて、少なくとも１つの制御タイミングコンフィギュレーション番号を決定する決定ユニット（402）であって、アグリゲーションされた各セルは時分割複信（ＴＤＤ）上りリンク−下りリンクコンフィギュレーション番号に関連付けられており、前記複数のアグリゲーションされたセルの少なくとも２つのＴＤＤ上りリンク−下りリンクコンフィギュレーション番号は等しくなく、前記複数のアグリゲーションされたセルは前記ユーザ装置（101）と関連付けられており、前記少なくとも１つの制御タイミングコンフィギュレーション番号は、アグリゲーションされた各セルの前記ＴＤＤ上りリンク−下りリンクコンフィギュレーション番号についての、サブフレームタイミングの互換性に基づいて決定される、前記決定ユニット（402）と、
前記少なくとも１つの制御タイミングコンフィギュレーション番号に基づく制御タイミングを実装する実装ユニット（408）と、
を備えることを特徴とするユーザ装置。
【請求項３９】
前記少なくとも１つの制御タイミングコンフィギュレーション番号は、前記複数のアグリゲーションされたセルにわたって下りリンク・ハイブリッド自動再送要求（ＨＡＲＱ）Ａ／Ｎタイミングを確立するための、下りリンクＨＡＲＱ制御タイミングコンフィギュレーションを示す
ことを特徴とする請求項３８に記載のユーザ装置。
【請求項４０】
前記少なくとも１つの制御タイミングコンフィギュレーション番号は、前記複数のアグリゲーションされたセルにわたって上りリンクスケジューリンググラント・タイミングと確認応答／否定応答（Ａ／Ｎ）タイミングとの少なくともいずれかを確立するための、上りリンク制御タイミングコンフィギュレーション番号を示す
ことを特徴とする請求項３８または３９に記載のユーザ装置。
【請求項４１】
前記少なくとも１つの制御タイミングコンフィギュレーション番号は、前記複数のアグリゲーションされたセルの前記ＴＤＤ上りリンク−下りリンクコンフィギュレーション番号のうちの１つと等しい
ことを特徴とする請求項３８から４０のいずれか１項に記載のユーザ装置。
【請求項４２】
前記少なくとも１つの制御タイミングコンフィギュレーション番号は、前記複数のアグリゲーションされたセルの前記ＴＤＤ上りリンク−下りリンクコンフィギュレーション番号のいずれとも等しくない
ことを特徴とする請求項３８から４０のいずれか１項に記載のユーザ装置。
【請求項４３】
前記実装ユニット（408）は、前記ユーザ装置及び前記ネットワークとの間で競合することなく制御データが送受信されるように、前記少なくとも１つの制御タイミングコンフィギュレーション番号に基づいて当該制御データをスケジューリングする
ことを特徴とする請求項３８から４２のいずれか１項に記載のユーザ装置。
【請求項４４】
前記決定ユニット（402）は、前記少なくとも１つの制御タイミングコンフィギュレーション番号を基地局（103）から受信する
ことを特徴とする請求項３８から４３のいずれか１項に記載のユーザ装置。
【請求項４５】
前記少なくとも１つの制御タイミングコンフィギュレーション番号は、無線リソース制御（ＲＲＣ）シグナリングによって受信される
ことを特徴とする請求項４４に記載のユーザ装置。
【請求項４６】
前記実装ユニット（408）は、前記ユーザ装置及び前記ネットワークとの間で競合することなく制御データが送受信されるように、前記少なくとも１つの制御タイミングコンフィギュレーション番号を実装する
ことを特徴とする請求項３８から４５のいずれか１項に記載のユーザ装置。
【請求項４７】
前記実装ユニット（408）は、競合しているサブフレームの存在下で、順方向サブフレーム下りリンクスケジューリング・タイミングを、物理下りリンク制御チャネル（ＰＤＣＣＨ）に対してスケジューリングする
ことを特徴とする請求項３８から４６のいずれか１項に記載のユーザ装置。
【請求項４８】
前記実装ユニット（408）は、競合しているサブフレームの存在下で、コンポーネントキャリア間順方向サブフレーム下りリンクスケジューリング・タイミングを、物理下りリンク制御チャネル（ＰＤＣＣＨ）に対してスケジューリングする
ことを特徴とする請求項３８から４７のいずれか１項に記載のユーザ装置。
【発明の詳細な説明】
【技術分野】
【０００１】
例示的実施形態は、マルチプルセル通信ネットワークにおける、制御タイミングについての用の制御タイミングコンフィギュレーション番号の割当て及び実装のための基地局、ユーザ装置及びそれらにおける方法を対象とする。
【背景技術】
【０００２】
ＬＴＥシステム
ＬＴＥ（Long Term Evolution）は、下りリンク方向でＯＦＤＭ（Orthogonal Frequency Division Multiplexing：直交周波数分割多重）を、上りリンク方向でＤＦＴ（Discrete Fourier Transform：離散フーリエ変換）拡散ＯＦＤＭを用いる。したがって、基本的なＬＴＥ下りリンク物理リソースは、図１に示すような時間−周波数グリッドと考えることができ、この場合、各リソースエレメントは、１つのＯＦＤＭシンボル区間における１つのＯＦＤＭサブキャリアに対応する。時間領域では、図２に示すように、ＬＴＥ下りリンク送信は、１０ｍｓの無線フレームに分かれていて、個々の無線フレームが、Ｔサブフレーム＝１ｍｓの長さの１０個の同サイズのサブフレームで構成されうる。
【０００３】
また、ＬＴＥにおけるリソース割当ては、典型的には、リソースブロックの観点で説明され、１つのリソースブロックは、時間領域における１スロット（０．５ｍｓ）、周波数領域における１２のサブキャリアに対応する。リソースブロックには、周波数領域において、システム帯域幅の一方の端部から０で始まる番号が付けられている。
【０００４】
下りリンク送信は、動的にスケジューリングされ、すなわち、基地局は、現在の下りリンクサブフレームで、どのユーザ装置に対してデータが送信されるのか、及び、どのリソースブロック上でデータが送信されるのかについての制御情報を、各サブフレーム内で送信する。この制御シグナリングは、典型的には、各サブフレーム内の最初の１、２、３、または４番目のＯＦＤＭシンボルで送信される。図３に、制御のための３つのＯＦＤＭシンボルを有する下りリンクシステムを示す。動的なスケジューリング情報が、制御領域で送信されるＰＤＣＣＨ（Physical Downlink Control Channel：物理下りリンク制御チャネル）を介してユーザ装置へ伝達される。ＰＤＣＣＨの復号が成功した後、ユーザ装置は、ＬＴＥ仕様で規定される所定のタイミングに従ってＰＤＳＣＨ（Physical Downlink Shared Channel：物理下りリンク共有チャネル）の受信またはＰＵＳＣＨ（Physical Uplink Shared Channel：物理上りリンク共有チャネル）の送信を行うことになっている。
【０００５】
ＬＴＥは、ＨＡＲＱ（Hybrid-Automatic Repeat Request：ハイブリッド自動再送要求）を使用しており、ユーザ装置は、サブフレーム内の下りリンクデータを受信した後、それを復号することを試行して、ＰＵＣＣＨ（Physical Uplink Control CHannel：物理上りリンク制御チャネル）を介してＡＣＫ（Acknowledge：肯定応答）を送信することで復号が成功したことを、あるいはＮＡＣＫ（Non-Acknowledgement：否定応答）を送信することで復号が成功しなかったことを、基地局へ報告する。復号の試行が失敗した場合、基地局は、誤りが生じたデータを再送信することができる。同様に、基地局は、ＰＨＩＣＨ（Physical Hybrid ARQ Indicator CHannel：物理ハイブリッドＡＲＱインジケータ・チャネル）を介してＡＣＫを送信することでＰＵＳＣＨの復号が成功したことを、あるいはＮＡＣＫを送信することで復号が成功しなかったことを、ＵＥに知らせることができる。
【０００６】
ユーザ装置から基地局への上りリンク制御シグナリングは、（１）受信された下りリンクデータについてのＨＡＲＱ確認応答と、（２）下りリンクのスケジューリング用の支援として用いられる、下りリンクのチャネル状態に関するユーザ装置の報告と、（３）モバイル・ユーザ装置が上りリンクのデータ送信用の上りリンクリソースを必要としていることを示すスケジューリング要求と、のうちの少なくとも１つを含んでいてもよい。
【０００７】
モバイル・ユーザ装置にデータ送信用の上りリンクリソースがまだ割り当てられていない場合、チャネルステータス報告、ＨＡＲＱ確認応答、スケジューリング要求のようなＬ１／Ｌ２制御情報が、上りリンクリソースで、例えば、リリース８（Ｒｅｌ−８）ＰＵＣＣＨ上の上りリンクＬ１／Ｌ２制御のために特に割り当てられたリソースブロックで、送信される。図４に示すように、これらの上りリンクリソースは、利用可能な送信帯域幅全体のうちの端部に位置している。個々のそのような上りリンクリソースは、上りリンクサブフレームの２つのスロットそれぞれの中に１２個の「サブキャリア」（１つのリソースブロック）を含んでいる。周波数タイバーシチを可能にするため、これらの周波数リソースは、矢印で示すように、スロット境界線上で周波数ホッピングされる。すなわち、１つの「リソース」は、サブフレームの第１のスロットの範囲内のスペクトルの上部に１２個のサブキャリアを含んでおり、かつ、サブフレームの第２のスロットの期間にスペクトルの下部に同サイズのリソースを含んでおり、逆もまた同様である。もっと多くのリソースが上りリンクＬ１／Ｌ２制御シグナリング用として必要である場合、例えば、多数のユーザをサポートしていて送信帯域幅全体が非常に広い場合、以前割り当てられたリソースブロックの隣に追加のリソースブロックを割り当てることができる。
【０００８】
キャリア・アグリゲーション
近年、ＬＴＥリリース１０（Ｒｅｌ−１０）標準規格が標準化され、２０ＭＨｚを上回る帯域幅をサポートしている。ＬＴＥリリース１０に関する１つの要求条件は、ＬＴＥリリース８との下位互換性を保証することである。これには、スペクトルの互換性も含まれうる。このことは、ＬＴＥリリース８のユーザ装置には、２０ＭＨｚより広いＬＴＥリリース１０のキャリアが複数のＬＴＥキャリアのように見えるということを意味するであろう。そのような個々のキャリアは、コンポーネントキャリア（ＣＣ）と称されうる。特に、ＬＴＥリリース１０展開の初期には、多数の旧式のＬＴＥユーザ装置に比べてＬＴＥリリース１０対応のユーザ装置は少数であろうと予測できる。したがって、旧式のユーザ装置にも広いキャリアの効率的な使用を保証すること、すなわち、旧式のユーザ装置が、広帯域ＬＴＥリリース１０キャリアの全ての部分においてスケジューリングされうるようなキャリアを実現できることが有益であろう。これを得る直接的な方法は、キャリア・アグリゲーション（ＣＡ）によることであろう。ＣＡとは、ＬＴＥリリース１０のユーザ装置が複数のＣＣを受信でき、ＣＣはリリース８のキャリアと同じ構造を有するか、または少なくとも、有する可能性を有することを意味する。図５にＣＡを示す。
【０００９】
アグリゲーションされるＣＣの数及び個別のＣＣの帯域幅は、上りリンクと下りリンクとで異なっていてもよい。対称のコンフィギュレーション（configuration）とは、下りリンクと上りリンクとでＣＣの数が同じである場合のことを言い、非対称のコンフィギュレーションとは、下りリンクと上りリンクとでＣＣの数が異なる場合のことを言う。注意すべきことは、セル内でコンフィギュレーションされるＣＣの数が、ユーザ装置から見たＣＣの数とは異なる場合があることである。ネットワークが、同じ数の上りリンクＣＣ及び下りリンクＣＣでコンフィギュレーションされていても、ユーザ装置は、例えば、上りリンクＣＣより多くの下りリンクＣＣをサポートする場合がある。
【００１０】
最初のアクセスの間、ＬＴＥリリース１０のユーザ装置は、ＬＴＥリリース８のユーザ装置と同様に動作する。ネットワークへの接続が成功すると、ユーザ装置は、自分の能力とネットワークとに依存して、上りリンクと下りリンクとについて追加のＣＣを用いてコンフィギュレーションされうる。ＲＲＣ（Radio Resource Control：無線リソース制御）に基づいてコンフィギュレーションが行なわれる。ＲＲＣシグナリングの大量のシグナリングとやや遅い速度とに起因して、たとえ現時点で全てのＣＣが使用されていなくても、ユーザ装置が複数のＣＣを用いてコンフィギュレーションされうることが想定される。ユーザ装置が、複数のＣＣ上でコンフィギュレーションされる場合、これは、ユーザ装置が、ＰＤＣＣＨとＰＤＳＣＨとについて全ての下りリンクＣＣを監視する必要があるということを意味するであろう。これは、より広い受信機帯域幅、より高速のサンプリングレートなどを意味し、結果として電力消費量が増加する。
【００１１】
上記の諸問題を軽減させるため、ＬＴＥリリース１０は、コンフィギュレーションに加えてＣＣの有効化（activation）をサポートする。ユーザ装置は、ＰＤＣＣＨ及びＰＤＳＣＨについて、コンフィギュレーションされて有効化されたＣＣだけを監視する。有効化は、ＲＲＣシグナリングよりも高速のＭＡＣ（Medium Access Control：媒体アクセス制御）制御エレメントに基づいて行なわれるため、有効化／無効化（de-activation）は、現在のデータレートの必要性を満たすのに必要なＣＣの数に従うことができる。複数のＣＣが、大きいデータ量の到着に応じて有効化され、データ送信用に使用され、必要ない場合に無効化される。下りリンクプライマリＣＣ（ＤＬ ＰＣＣ：Downlink (DL) Primary CC）という１つのＣＣだけを除いて全てのＣＣが無効化されてもよい。したがって、有効化によって、複数のＣＣをコンフィギュレーションするがそれらを有効化するのは必要な場合に限られる可能性がもたらされる。ほとんどの時間、ユーザ装置は、１つ若しくは非常に少ない数のＣＣを有効化させるであろうから、結果として、受信帯域幅及びバッテリの消費が減少する。
【００１２】
ＣＣのスケジューリングは、ＰＤＣＣＨ上で下りリンク割当てを介して行われてうる。ＰＤＣＣＨ上の制御情報は、ＤＣＩ（Downlink Control Information：下りリンク制御情報）メッセージとしてフォーマットされうる。リリース８では、ユーザ装置は、１つの下りリンクＣＣ及び１つの上りリンクＣＣだけを用いて動作しうる。下りリンク割当てと、上りリンクグラントと、対応する下りリンクＣＣ及び上りリンクＣＣとの間の関連は、それ故に明確である。リリース１０では、２つのモードのＣＡが区別されるべきである。第１のモードは、マルチプル・リリース８・ＣＣの動作に非常に良く似ており、ＣＣ上で送信されるＤＣＩメッセージ内に含まれる下りリンク割当てまたは上りリンクグラントは、下りリンクＣＣ自体にとって有効か、あるいは（セル固有またはユーザ装置固有のリンクを介して）関連する上りリンクＣＣにとって有効かのいずれかである。第２の動作モードでは、ＤＣＩメッセージがＣＩＦ（Carrier Indicator Field：キャリア・インジケータ・フィールド）を用いて補強される。ＣＩＦ付きの下りリンク割当てを含むＤＣＩは、ＣＩＦによって示されるその下りリンクＣＣについて有効であり、ＣＩＦ付きの上りリンクグラントを含むＤＣＩは、示される上りリンクＣＣについて有効である。
【００１３】
下りリンク割当て用のＤＣＩメッセージは、特に、リソースブロック割当て、変調及び符号化方式関連パラメータ、ＨＡＲＱ冗長性バージョンなどを含んでいる。また、実際の下りリンク送信に関係するこれらのパラメータに加えて、下りリンク割当て用のほとんどのＤＣＩフォーマットは、ＴＰＣ（Transmit Power Control：送信電力制御）コマンド用のビットフィールドも含んでいる。ＨＡＲＱフィードバックを送信するのに用いられる、対応するＰＵＣＣＨの上りリンク電力制御動作を制御するために、これらのＴＰＣコマンドが用いられる。
【００１４】
リリース１０ ＬＴＥでは、ＰＵＣＣＨの送信が、１つの特定の上りリンクＣＣ、すなわち上りリンクプライマリＣＣ（ＵＬ ＰＣＣ：Uplink (UL) Primary CC）上にマッピングされる。単一の下りリンクＣＣ（すなわちＤＬ ＰＣＣ）と上りリンクＣＣ（すなわちＵＬ ＰＣＣ）とを用いてコンフィギュレーションされるユーザ装置は、リリース８に従ってＰＵＣＣＨ上で動的なＡＣＫ／ＮＡＣＫを操作している。下りリンク割当て用のＰＤＣＣＨを送信するのに用いられる第１の制御チャネルエレメント（ＣＣＥ：Control Channel Element）は、リリース８ ＰＵＣＣＨ上で動的なＡＣＫ／ＮＡＣＫリソースを決定する。１つの下りリンクＣＣだけがセル固有でＵＬ ＰＣＣとリンクされていることから、異なる第１のＣＣＥを用いて全てのＰＤＣＣＨが送信されることになるためＰＵＣＣＨのコリジョンは起こり得ない。
【００１５】
単一のセカンダリＣＣ（ＳＣＣ：Secondary CC）上で下りリンク割当てを受信するか、または複数のＤＬ割当てを受信したことに応じて、ＣＡ ＰＵＣＣＨが用いられるべきである。下りリンクＳＣＣ割当てだけというのは典型的ではない。基地局内のスケジューラは、ＤＬ ＰＣＣ上で単一の下りリンクＣＣ割当てをスケジューリングすることを目指し、必要がない場合にはＳＣＣを無効化することを試行すべきである。起こりうるシナリオは、基地局が、ＰＣＣを含む複数の下りリンクＣＣ上でユーザ装置をスケジューリングすることである。ユーザ装置が、ＤＬ ＰＣＣ割当てを除く全てのＣＣの割当てを逃してしまった場合には、ユーザ装置は、ＣＡ ＰＵＣＣＨの代わりにリリース８ ＰＵＣＣＨを用いるであろう。このエラーケースを検出するためには、基地局は、リリース８ ＰＵＣＣＨとＣＡ ＰＵＣＣＨとの両方を監視する必要がある。
【００１６】
リリース１０ ＬＴＥでは、ＣＡ ＰＵＣＣＨフォーマットは、コンフィギュレーションされたＣＣの数に基づいている。ＣＣのコンフィギュレーションは、ＲＲＣシグナリングに基づいている。新たなコンフィギュレーションの受信／適用が成功した後、確認メッセージが返信されて、ＲＲＣシグナリングが非常に安全に行われる。
【００１７】
時分割複信
ＬＴＥのようなセルラーシステムにおけるユーザ装置のようなノードとの間の送受信は、周波数領域または時間領域（あるいはその組み合わせ）において多重化することができる。図６の左側に示す周波数分割複信（ＦＤＤ：Frequency Division Duplex）は、下りリンク送信と上りリンク送信が、十分に離れた、異なる周波数帯で行われることを意味する。図６の右側に示す時分割複信（ＴＤＤ：Time Division Duplex）は、下りリンク送信と上りリンク送信が、重なり合わない、異なるタイムスロットで行われることを意味する。したがって、ＴＤＤは、対になっていないスペクトルで動作できるのに対して、ＦＤＤは、対になったスペクトルを必要とする。
【００１８】
典型的には、通信システムにおいて送信される信号の構造は、フレーム構造の形で体系化される。例えば、ＬＴＥは、図７に示すように、１無線フレームごとに、長さ１ｍｓの１０個の同サイズのサブフレームを用いる。
【００１９】
ＦＤＤ動作（図７の上部）の場合、２つのキャリア周波数があり、１つは上りリンク送信用（ｆUL）でもう１つは下りリンク送信用（ｆDL）である。少なくともセルラー通信システム内のユーザ装置に関しては、ＦＤＤは、全二重か半二重かのいずれかでありうる。全二重の場合、ユーザ装置は、送信と受信を同時に行うことができるのに対して、半二重動作では、ユーザ装置は、送信と受信とを同時に行うことができない（ただし、基地局は、送受信を同時に行うことができ、例えば、或るユーザ装置から受信しながら同時に別のユーザ装置へ送信することができる）。ＬＴＥでは、半二重ユーザ装置は、所定のサブフレームで送信するよう明示的に指示された場合を除き、下りリンクで監視／受信を行っている。
【００２０】
ＴＤＤ動作の場合（図７の下部）、単一のキャリア周波数だけしかない場合があり、上りリンク送信及び下りリンク送信は、典型的には、セルごとに時間で分離される。上りリンク送信と下りリンク送信とに同じキャリア周波数が用いられるため、基地局とモバイル・ユーザ装置とはいずれも、送信から受信へ切り替える必要があり、逆もまた同様である。どのようなＴＤＤシステムにも、下りリンク送信及び上りリンク送信のいずれも行われない、十分大きなガードタイムの可能性を提供するという特徴がある。これは、上りリンク送信と下りリンク送信との間の干渉を避けるために必要とされる。ＬＴＥでは、このガードタイムは、特別なサブフレーム（サブフレーム１と、場合によってはサブフレーム６）によって提供されており、それらのサブフレームは、下りリンク部分である下りリンク・パイロット・タイムスロット（ＤｗＰＴＳ：Downlink Pilot Time Slot）と、ガード期間（ＧＰ：guard period）と、上りリンク部分である上りリンク・パイロット・タイムスロット（ＵｐＰＴＳ：Uplink Pilot Time Slot）という、３つの部分に分けられる。残りのサブフレームは、上りリンク送信と下りリンク送信とのいずれかに割り当てられている。
【発明の概要】
【００２１】
本明細書で提示するいくつかの例示的実施形態の目的は、アグリゲーションされた全てのＣＣ間に上りリンク−下りリンクコンフィギュレーションを割り当てる効率的な手段を提供することである。したがって、一部の例示的実施形態は、マルチプルセル通信ネットワークにおいてユーザ装置との間の制御タイミングをコンフィギュレーションするための、基地局における方法を対象としうる。本方法は、マルチプルセル通信ネットワークの複数のアグリゲーションされたセルについて、少なくとも１つのタイミングコンフィギュレーション番号を決定するステップを含む。アグリゲーションされた各セルは上りリンク−下りリンクコンフィギュレーション番号に関連付けられており、複数のアグリゲーションされたセルの少なくとも２つの上りリンク−下りリンクコンフィギュレーション番号は等しくない。複数のアグリゲーションされたセルはユーザ装置と関連付けられている。本方法は、少なくとも１つのタイミングコンフィギュレーション番号をユーザ装置に割り当てるステップを更に含む。
【００２２】
一部の例示的実施形態は、マルチプルセル通信ネットワークにおいてユーザ装置との間の制御タイミングをコンフィギュレーションするための基地局を対象としうる。基地局は、マルチプルセル通信ネットワークの複数のアグリゲーションされたセルについて、少なくとも１つのタイミングコンフィギュレーション番号を決定する決定ユニットを備える。アグリゲーションされた各セルは上りリンク−下りリンクコンフィギュレーション番号に関連付けられている。複数のアグリゲーションされたセルの少なくとも２つの上りリンク−下りリンクコンフィギュレーション番号は等しくない。複数のアグリゲーションされたセルはユーザ装置と関連付けられている。基地局は、少なくとも１つのタイミングコンフィギュレーション番号をユーザ装置に割り当てる割当てユニットを更に備える。
【００２３】
一部の例示的実施形態は、マルチプルセル通信ネットワークにおいてユーザ装置についての制御タイミングをコンフィギュレーションするための、ユーザ装置における方法を対象としうる。本方法は、マルチプルセル通信ネットワークの複数のアグリゲーションされたセルについて、少なくとも１つのタイミングコンフィギュレーション番号を基地局から受信するステップを含む。アグリゲーションされた各セルは上りリンク−下りリンクコンフィギュレーション番号に関連付けられており、複数のアグリゲーションされたセルの少なくとも２つの上りリンク−下りリンクコンフィギュレーション番号は等しくない。複数のアグリゲーションされたセルはユーザ装置と関連付けられている。
本方法は、少なくとも１つのタイミングコンフィギュレーション番号に基づく制御タイミングを実装するステップを更に含む。
【００２４】
一部の例示的実施形態は、マルチプルセル通信ネットワークにおいてユーザ装置についての制御タイミングをコンフィギュレーションするためのユーザ装置を対象としうる。ユーザ装置は、マルチプルセル通信ネットワークの複数のアグリゲーションされたセルについて、少なくとも１つのタイミングコンフィギュレーション番号を基地局から受信する決定ユニットを備え、アグリゲーションされた各セルは上りリンク−下りリンクコンフィギュレーション番号に関連付けられており、複数のアグリゲーションされたセルの少なくとも２つの上りリンク−下りリンクコンフィギュレーション番号は等しくない。複数のアグリゲーションされたセルはユーザ装置と関連付けられている。ユーザ装置は、少なくとも１つのタイミングコンフィギュレーション番号に基づく制御タイミングを実装する実装ユニットを更に備える。
【図面の簡単な説明】
【００２５】
上記は、添付の図面に示されるような例示的実施形態についての下記のより具体的な説明から明らかになる。添付の図面では、類似する参照符号は、様々な図の全体にわたって同一の部分を指す。当該図面は必ずしも原寸に比例しておらず、その代わりに、例示的実施形態を図示する際に強調が加えられている。
【００２６】
【図１】ＬＴＥ下りリンク物理リソースの例示的な一例を示す図。
【図２】ＬＴＥ時間領域構造の概略図。
【図３】下りリンクサブフレームを示す図。
【図４】リリース８のＰＵＣＣＨ上の上りリンクＬ１／Ｌ２制御シグナリング送信の例示的な一例を示す図。
【図５】キャリア・アグリゲーションの例示的な一例を示す図。
【図６】周波数分割複信及び時分割複信の例示的な一例を示す図。
【図７】ＦＤＤ及びＴＤＤの場合のＬＴＥの上りリンク−下りリンク時間／周波数構造の概略図。
【図８】ＴＤＤの場合の異なる下りリンク／上りリンクコンフィギュレーションの概略図。
【図９】ＴＤＤにおける上りリンク／下りリンク干渉の例示的な一例を示す図。
【図１０】コンフィギュレーション１のセル及びコンフィギュレーション２のセルについてのＰＤＳＣＨ Ａ／Ｎフィードバック・タイミングを示す図。
【図１１】コンフィギュレーション１のセル及びコンフィギュレーション２のセルについてのＰＵＳＣＨグラント及びＡ／Ｎフィードバック・タイミングを示す図。
【図１２】コンフィギュレーション１のセル及びコンフィギュレーション３のセルについてのＰＤＳＣＨ Ａ／Ｎフィードバック・タイミングを示す図。
【図１３】コンフィギュレーション１のセル及びコンフィギュレーション３のセルについてのＰＵＳＣＨグラント及びＡ／Ｎフィードバック・タイミングを示す図。
【図１４】異なる上りリンク−下りリンクコンフィギュレーションを用いるＴＤＤセルのキャリア・アグリゲーションの例示的な一例を示す図。
【図１５】一部の例示的実施形態による、サブフレームの互換性階層構造の例示的な一例を示す図。
【図１６】一部の例示的実施形態による、Ｐセルとしてのコンフィギュレーション１のセルとＳセルとしてのコンフィギュレーション２のセルとのアグリゲーションについての、ＰＵＳＣＨグラント及びＡ／Ｎフィードバック・タイミングを示す図。
【図１７】一部の例示的実施形態による、Ｐセルとしてのコンフィギュレーション２のセルとＳセルとしてのコンフィギュレーション１のセルとのアグリゲーションについての、ＰＵＳＣＨグラント及びＡ／Ｎフィードバック・タイミングを示す図。
【図１８】一部の例示的実施形態による、コンフィギュレーション１のセルとコンフィギュレーション２のセルとのアグリゲーションについての、ＰＤＳＣＨ Ａ／Ｎフィードバック・タイミングを示す図。
【図１９】一部の例示的実施形態による、Ｐセルとしてのコンフィギュレーション１のセルとＳセルとしてのコンフィギュレーション３のセルとのアグリゲーションについての、ＰＵＳＣＨグラント及びＡ／Ｎフィードバック・タイミングを示す図。
【図２０】一部の例示的実施形態による、Ｐセルとしてのコンフィギュレーション３のセルとＳセルとしてのコンフィギュレーション１のセルとのアグリゲーションについての、ＰＵＳＣＨグラント及びＡ／Ｎフィードバック・タイミングを示す図。
【図２１】一部の例示的実施形態による、コンフィギュレーション１のセルとコンフィギュレーション３のセルとのアグリゲーションについての、ＰＤＳＣＨ Ａ／Ｎフィードバック・タイミングを示す図。
【図２２】一部の例示的実施形態による、コンフィギュレーション１のセルとコンフィギュレーション２のセルとのアグリゲーションによって半二重ＵＥをサポートする、追加の順方向サブフレームＤＬスケジューリングＰＤＣＣＨのタイミングの例示的な一例を示す図。
【図２３】一部の例示的実施形態による、コンフィギュレーション１のセルとコンフィギュレーション３のセルとのアグリゲーションによって半二重ＵＥをサポートする、追加の順方向サブフレームＤＬスケジューリングＰＤＣＣＨのタイミングの例示的な一例を示す図。
【図２４】一部の例示的実施形態による、Ｐセルとしてのコンフィギュレーション１のセルとＳセルとしてのコンフィギュレーション２のセルとのアグリゲーションによって全二重ＵＥをサポートする、追加のキャリア間順方向サブフレームＤＬスケジューリングＰＤＣＣＨのタイミングの例示的な一例を示す図。
【図２５】一部の例示的実施形態による、コンフィギュレーション１のセルとコンフィギュレーション３のセルとのアグリゲーションによって全二重ＵＥをサポートする、追加のキャリア間順方向サブフレームＤＬスケジューリングＰＤＣＣＨのタイミングの例示的な一例を示す図。
【図２６】本明細書で説明される例示的実施形態を実行するように構成された基地局の概略図。
【図２７】本明細書で記述される例示的実施形態を実行するように構成されたユーザ装置の概略図。
【図２８】図２６の基地局の例示的動作を描いたフロー図。
【図２９】図２７のユーザ装置の例示的動作を描いたフロー図。
【発明を実施するための形態】
【００２７】
下記の説明では、例示的実施形態の十分な理解を提供するために、限定ではなく説明を目的として、具体的なコンポーネント、要素、技術等の特定の詳細が説明されている。しかし、例示的実施形態は、これらの特定の詳細から逸脱した他のやり方で実施することも可能である。その他の例では、例示的実施形態の説明を不明瞭にしないようにするため、周知の方法及び要素の詳細な説明は省略されている。
【００２８】
本明細書で提示される例示的実施形態の展開の一部として、最初に、問題を特定して議論する。ＴＤＤでは、上りリンク及び下りリンク送信用にそれぞれ割り当てられるリソースの量という点から、異なる下りリンク／上りリンクコンフィギュレーションによって、さまざまな非対称性を許容している。ＬＴＥでは、図８に示すように７つの異なるコンフィギュレーションがある。以下の「ＴＤＤ ＨＡＲＱタイミング」という見出し以下の説明では、下りリンクサブフレームとは、下りリンクのサブフレームか、特別なサブフレームかのいずれかを意味しうることに留意されたい。
【００２９】
異なるセル間の下りリンク送信と上りリンク送信との間の著しい干渉を回避するには、隣接セルは、同じ下りリンク／上りリンクコンフィギュレーションを有するべきである。これが行われない場合、図９に示すように、１つのセル内の上りリンク送信が、隣接しているセル内の下りリンク送信と干渉する可能性があり、逆もまた同様である。したがって、下りリンク／上りリンクの非対称性は、典型的には、セル間で異なるものではないが、システム情報の一部としてシグナリングされて長時間にわたってそのまま固定される。
【００３０】
本明細書で提供される説明は、以下のように構成されている。最初に、「既存のシステム−ＴＤＤ ＨＡＲＱ制御タイミング」という見出し以下で、制御タイミングコンフィギュレーションのための現行のシステム及び方法の概要を提示する。その後、「既存のソリューションの問題点」という小見出し以下で、既存のシステムの限界について検討する。
【００３１】
その後、「サブフレームタイミングの互換性」という見出しのセクションで、例示的実施形態の基礎を提示する。ここでは（「既存のシステム−ＴＤＤ ＨＡＲＱ制御タイミング」の中で説明される）複雑なコンフィギュレーションテーブルが、サブフレームタイミングの互換性階層構造（compatibility hierarchy）の使用と置き換えられうる。その後、「コンフィギュレーション割当て」という見出しのサブセクションで、サブフレームタイミングの互換性階層構造を利用した、制御タイミングコンフィギュレーション割当ての例を提供する。「効率的なストレージに基づくサブフレームタイミングの互換性の算出」というサブセクションの中で、サブフレームタイミングの互換性階層構造の順序付けられたリストに基づいた制御タイミングコンフィギュレーション割当ての例を提供する。
【００３２】
その後、「半二重コンフィギュレーション割当ての例」というサブセクションの中で、半二重動作モードを利用したユーザ装置の制御タイミングコンフィギュレーション割当ての例を提供する。同様に、「全二重コンフィギュレーション割当ての例」というサブセクションの中で、全二重動作モードを利用したユーザ装置の制御タイミングコンフィギュレーション割当ての例を提供する。その後、「順方向下りリンクスケジューリング」という小見出し以下で、全二重動作モード及び半二重動作モードを有するユーザ装置に関する順方向下りリンクスケジューリングの例を提供する。
【００３３】
最後に、「ノード構成の例」及び「ノードの動作の例」という小見出し以下で、ネットワークノード構成の例と、そのようなノードの例示的動作とを提示する。ノードの動作の例は、ノードの動作の一般化した説明を提供するものであって、既存のシステムに関係しない前述の各小見出しにおいて提供される全ての例を含みうるということは理解されるべきである。
【００３４】
既存のシステム−ＴＤＤ ＨＡＲＱ制御タイミング
ＰＵＳＣＨ及びＰＤＳＣＨについてのＨＡＲＱ ＡＣＫ／ＮＡＣＫ（Ａ／Ｎ）フィードバックのタイミングと、ＰＵＳＣＨのグラントのタイミングは、各上りリンク−下りリンクコンフィギュレーションについての拡張テーブル及び手順の説明によって記述されうる。
【００３５】
ＴＤＤ ＵＬ／ＤＬ（Ｕ／Ｄ）コンフィギュレーション１〜６及び通常のＨＡＲＱ動作については、ユーザ装置は、上りリンクＤＣＩフォーマットを有するＰＤＣＣＨと、当該ユーザ装置を対象としたサブフレームｎにおけるＰＨＩＣＨ送信との少なくともいずれかの検出に応じて、ＰＤＣＣＨ及びＰＨＩＣＨ情報に従って、下記の表１に示すｋを用いてサブフレームｎ＋ｋにおける対応するＰＵＳＣＨ送信を調整することになっている。
【００３６】
【表１】
0005938099.tif 000002
【００３７】
ＴＤＤ Ｕ／Ｄコンフィギュレーション０及び通常のＨＡＲＱ動作については、ユーザ装置は、上りリンクＤＣＩフォーマットを有するＰＤＣＣＨと、当該ユーザ装置を対象としたサブフレームｎにおけるＰＨＩＣＨ送信との少なくともいずれかを検出すると、上りリンクＤＣＩフォーマットを有するＰＤＣＣＨにおけるＵＬインデックスの最上位ビット（ＭＳＢ：Most Significant Bit）が１に設定されているか、またはＰＨＩＣＨがＩPHICH＝０に対応するリソースにおけるサブフレームｎ＝０若しくは５で受信される場合に、表１に示すｋを用いてサブフレームｎ＋ｋにおける対応するＰＵＳＣＨ送信を調整することになっている。ＴＤＤ Ｕ／Ｄコンフィギュレーション０及び通常のＨＡＲＱ動作について、ＤＣＩフォーマット０／４におけるＵＬインデックスの最下位ビット（ＬＳＢ：Least Significant Bit）がサブフレームｎにおいて１に設定されているか、またはＰＨＩＣＨがＩPHICH＝１に対応するリソースにおいてサブフレームｎ＝０若しくは５で受信されるか、またはＰＨＩＣＨがサブフレームｎ＝１若しくは６で受信される場合、ユーザ装置は、サブフレームｎ＋７において対応するＰＵＳＣＨ送信を調整することになっている。ＴＤＤ Ｕ／Ｄコンフィギュレーション０について、上りリンクＤＣＩフォーマットを有するＰＤＣＣＨにおけるＵＬインデックスのＭＳＢとＬＳＢとがいずれもサブフレームｎで送信される場合、ユーザ装置は、表１に示すｋを用いてサブフレームｎ＋ｋとｎ＋７との両方における対応するＰＵＳＣＨ送信を調整することになっている。
【００３８】
サブフレームｎにおいて在圏セルｃからスケジューリングされるＰＵＳＣＨ送信については、ユーザ装置は、サブフレームｎ＋ｋPHICHにおいて在圏セルｃの対応するＰＨＩＣＨリソースを決定することになっており、ここでｋPHICHを、下記のＴＤＤについての表２に示す。サブフレームのバンドリング（bundling）動作については、対応するＰＨＩＣＨリソースは、バンドルの中の最後のサブフレームに関連付けられる。
【００３９】
【表２】
0005938099.tif 000003
【００４０】
また、ユーザ装置は、事前設定されたＵＬサブフレームにおいてＰＤＳＣＨ復号Ａ／Ｎ情報をフィードバックすることになっている。ユーザ装置は、対応するＰＤＣＣＨの検出によって示されるＰＤＳＣＨ送信が存在するか、またはサブフレームｎ−ｋの範囲内に下りリンクＳＰＳリリースを示すＰＤＣＣＨが存在する場合、そのようなＨＡＲＱ Ａ／Ｎ応答をＰＵＣＣＨ上でＵＬサブフレームにおいて送信することになっている。ここで、ｋは、下記の表３に示す関連付け集合Ｋ＝｛ｋ0，ｋ1，... ｋM-1｝の範囲内にある。
【００４１】
【表３】
0005938099.tif 000004
【００４２】
ＬＴＥリリース１０では、全てのＨＡＲＱ制御タイミングは、上記で論じたように、プライマリ・セル（Ｐセル）コンフィギュレーション番号に基づいて決定される。ＬＴＥリリース１０におけるＨＡＲＱ動作の決定は、全てのアグリゲーションされたＴＤＤセルが同一のＵ／Ｄコンフィギュレーションを有する場合にのみ機能する。しかし、本明細書で提示する例示的実施形態を構築している際に、異なる複数のＵ／Ｄコンフィギュレーションのアグリゲーションのためにこの動作を直接的に拡張すること困難である、ということが発見された。
【００４３】
図１０に示すコンフィギュレーション１のセルとコンフィギュレーションの２セルとをアグリゲーションするためのＰＤＳＣＨ  Ａ／Ｎフィードバック・タイミングの例について検討する。図１０では、Ｕは上りリンクサブフレームを表し、Ｄは下りリンクサブフレームを表し、Ｓは上りリンクにも下りリンクにも用いられうる特別なサブフレームを表す。分かりやすくするために、本明細書で提供されている例ではＳサブフレームを下りリンクサブフレームとして扱うことを理解されるべきである。
【００４４】
コンフィギュレーション２のセルがＰセルである場合、コンフィギュレーション１のセカンダリ・セル（Ｓセル）のＰＤＳＣＨについてのＡ／Ｎフィードバックは、Ｐセルのタイミング規則に基づいてフィードバックされうる。しかし、コンフィギュレーション１のセルがＰセルである場合、コンフィギュレーション２のＳセルにおけるサブフレーム３及び８については、Ａ／Ｎフィードバック・タイミング規則が存在しないことになる。
【００４５】
図１１に示すコンフィギュレーション１のセルとコンフィギュレーション２のセルとをアグリゲーションするためのＰＵＳＣＨグラント及びＡ／Ｎフィードバック・タイミングの例について検討する。コンフィギュレーション１のセルがＰセルである場合、コンフィギュレーション２のＳセルについてのＰＵＳＣＨグラント及びＡ／Ｎフィードバックは、Ｐセルのタイミング規則に基づいてフィードバックされうる。しかし、コンフィギュレーション２のセルがＰセルである場合、コンフィギュレーション２にはそのようなＵＬグラント・タイミングが存在しないため、コンフィギュレーション１のＳセルにおいてサブフレーム３及び８に対してＰＵＳＣＨをスケジューリングすることはできない。これら２つのサブフレームについてのＡ／Ｎフィードバック・タイミング規則を利用できないことにも留意されたい。
【００４６】
制御タイミングの問題は、上記で論じた例よりも深刻である場合がある。コンフィギュレーション１及びコンフィギュレーション３のセルをアグリゲーションする場合、ＨＡＲＱ制御タイミングは、どのコンフィギュレーションがＰセルであるかに関わらず、機能しない。
【００４７】
より具体的に、図１２に示すＰＤＳＣＨ Ａ／Ｎフィードバック・タイミングについて検討する。
・コンフィギュレーション１がＰセルである場合、コンフィギュレーション３のＳセルのサブフレーム７及び８についてのＰＤＳＣＨ Ａ／Ｎをフィードバックすることができない。
・コンフィギュレーション３がＰセルである場合、コンフィギュレーション１のＳセルのサブフレーム４についてのＰＤＳＣＨ  Ａ／Ｎをフィードバックすることができない。
【００４８】
更に、図１３に示すＰＵＳＣＨグラント及びＡ／Ｎフィードバック・タイミングについて検討する。
・コンフィギュレーション１がＰセルである場合、コンフィギュレーション３のＳセルにおけるサブフレーム４についてのＰＵＳＣＨをスケジューリングすることができない。
・コンフィギュレーション３がＰセルである場合、コンフィギュレーション１のＳセルにおけるサブフレーム７及び８についてのＰＵＳＣＨをスケジューリングすることができない。
【００４９】
既存のシステムの問題点
下記は、本明細書で提示する実施形態を構築している際に認識された、既存のソリューションのいくつかの問題の例である。リリース１０では、ＴＤＤセルのキャリア・アグリゲーションは、全てのアグリゲーションされたセルのＵ／Ｄコンフィギュレーションは同一である、という制約と共に仕様が定められる。ＬＴＥのリリース１１では、ＴＤＤセルの、より柔軟なキャリア・アグリゲーションを可能にする必要がある。
【００５０】
上記で論じたように、隣接するセルのＵ／Ｄコンフィギュレーションは、深刻な干渉の問題を避けるために互換性を有している必要がある。しかし、隣接するセルが別のオペレータまたは別の無線システムによって運用される場合がある。したがって、これらの隣接するシステムと隣り合うＬＴＥ ＴＤＤセルは、特定の互換性のあるＵ／Ｄコンフィギュレーションを採用することが求められる。その結果として、図１４に示すように、オペレータは、異なる周波数において異なるＵ／Ｄコンフィギュレーションを有する複数のＴＤＤセルを有することになりうる。
【００５１】
そのようなアグリゲーションの事例に由来する別の厄介な問題は、公称のＴＤＤユーザ装置は、（図１４のサブフレーム７と８のような）特定のサブフレームにおいて送受信を同時に行うことが求められうるということである。そのようなＦＤＤに似た動作は、ＴＤＤユーザ装置の既存の設計とは互換性がない。そのような全二重動作をリリース１１で可能にすることによって、ユーザ装置に更なる複雑性及びコストを課すことになりうる。したがって、そのような競合している（conflicting）サブフレームの期間では、半二重動作の可能性について検討することも必要である。すなわち、そのような競合しているサブフレームの期間では、受信及び送信のいずれかを行うがその両方を行うことがないように指示されるべきである。
【００５２】
上記で特定されたような諸問題を避けるためには、特定のアグリゲーション事例に基づいて、更なるＨＡＲＱ制御タイミング規則の追加が行われてもよい。７つのＴＤＤコンフィギュレーションについての既存のタイミング規則に加えて、
0005938099.tif 000005
個の更なる規則の集合が追加されることで、可能なヘテロジニアス・コンフィギュレーションのペアごとにＨＡＲＱ動作を規定してもよい。これらに加えて、３つの異なるＵ／Ｄコンフィギュレーションのアグリゲーションのための更なる規定も導入されてもよい。異なるＵ／Ｄコンフィギュレーションのアグリゲーションをサポートするためにこれらの更なる規則を規定することにより、ＬＴＥの複雑性と実装コストとが相当に増加する。
【００５３】
サブフレームタイミングの互換性
一部の例示的実施形態に従って、異なるＴＤＤ Ｕ／Ｄコンフィギュレーションを有する複数のアグリゲーション・シナリオに対するシステマティックなソリューションを可能にするために、サブフレームタイミングの互換性を設計して図１５に示す。サブフレームタイミングの互換性は、ルックアップテーブル、リンク付きのリスト、または、通信デバイス内でのストレージに適した複数のデジタル表現として符号化されうる階層構造である。
【００５４】
サブフレームタイミングの互換性階層構造は、下記の原理を用いて設計されうる。
【００５５】
（１）ＴＤＤコンフィギュレーションにおけるＵＬサブフレームは、上向きの矢印で接続されうるＴＤＤコンフィギュレーションにおいてもＵＬサブフレームである。
例えば、コンフィギュレーション４では、サブフレーム２及び３がＵＬサブフレームである。これら２つのサブフレームは、コンフィギュレーション４から上向きの矢印で接続されうるコンフィギュレーション３、１、６及び０でもＵＬである。第２の例として、コンフィギュレーション２では、サブフレーム２及び７がＵＬサブフレームである。これら２つのサブフレームは、コンフィギュレーション３では両方がＵＬではなく、これは２つのコンフィギュレーションを接続する上向きの矢印がないためである。
【００５６】
（２）ＴＤＤコンフィギュレーションにおけるＤＬサブフレームは、下向きの矢印で接続されうるＴＤＤコンフィギュレーションにおいてもＤＬサブフレームである。
例えば、コンフィギュレーション６では、サブフレーム０、１、５、６及び９がＤＬサブフレームである。これら５つのサブフレームは、コンフィギュレーション６から下向きの矢印で接続されうるコンフィギュレーション１、２、３、４及び５でもＤＬサブフレームである。第２の例として、サブフレーム７は、コンフィギュレーション３ではＤＬであるが、コンフィギュレーション２ではＤＬサブフレームではなく、これは２つのコンフィギュレーションを接続する下向きの矢印がないためである。
【００５７】
これらの設計属性を用いることによって、サブフレームタイミングの互換性階層構造は、以下の有用性をもたらしうる。
【００５８】
（１）アグリゲーションされることになるＴＤＤコンフィギュレーションの集合が与えられた場合、全ての所与のＴＤＤコンフィギュレーションから上向きの矢印で接続されうるＴＤＤコンフィギュレーションは、以下の２つの属性を有する。
・ＴＤＤコンフィギュレーションは、全ての所与のＴＤＤコンフィギュレーションからの全てのＵＬサブフレームの上位集合であるＵＬサブフレームを含んでいる。
・ＴＤＤコンフィギュレーションは、全ての所与のＴＤＤコンフィギュレーションにおいて利用可能なＤＬサブフレームを含んでいる。
【００５９】
例１：
ＴＤＤコンフィギュレーション１及び２が与えられた場合、コンフィギュレーション１または２においてＵＬである全てのサブフレームは、コンフィギュレーション１、６及び０においてもＵＬサブフレームである。コンフィギュレーション１、６または０におけるＤＬサブフレームは、コンフィギュレーション１及び２においてもＤＬサブフレームである。
ＴＤＤコンフィギュレーション１及び３が与えられた場合、コンフィギュレーション１または３においてＵＬである全てのサブフレームは、コンフィギュレーション６及び０においてもＵＬである。コンフィギュレーション６または０におけるＤＬサブフレームは、コンフィギュレーション１、２、３、４、５及び６においてもＤＬサブフレームである。
ＴＤＤコンフィギュレーション２、３及び４が与えられた場合、３つのコンフィギュレーションのいずれかにおいてＵＬである全てのサブフレームは、コンフィギュレーション６及び０においてもＵＬである。コンフィギュレーション６または０におけるＤＬサブフレームは、コンフィギュレーション１、２、３、４、５及び６においてもＤＬサブフレームである。
ＴＤＤコンフィギュレーションの集合が与えられた場合、全ての所与のＴＤＤコンフィギュレーションから下向きの矢印で接続されうるＴＤＤコンフィギュレーションは、以下の２つの属性を有する。
・ＴＤＤコンフィギュレーションは、全ての所与のＴＤＤコンフィギュレーションからの全てのＤＬサブフレームの上位集合であるＤＬサブフレームを含んでいる。
・ＴＤＤコンフィギュレーションは、全ての所与のＴＤＤコンフィギュレーションにおいて利用可能なＵＬサブフレームを含んでいる。
【００６０】
例２：
ＴＤＤコンフィギュレーション１及び２が与えられた場合、コンフィギュレーション１または２においてＤＬである全てのサブフレームは、コンフィギュレーション２及び５においてもＤＬである。コンフィギュレーション２または５におけるＵＬサブフレームは、コンフィギュレーション１、２、６及び０においてもＵＬサブフレームである。
ＴＤＤコンフィギュレーション１及び３が与えられた場合、コンフィギュレーション１または３においてＤＬである全てのサブフレームは、コンフィギュレーション４及び５においてもＤＬである。コンフィギュレーション４または５におけるＵＬサブフレームは、コンフィギュレーション０、３、４及び６においてもＵＬサブフレームである。
ＴＤＤコンフィギュレーション２、３及び４が与えられた場合、３つのコンフィギュレーションのいずれかにおいてＤＬである全てのサブフレームは、コンフィギュレーション５においてもＤＬにおいてもある。コンフィギュレーション５におけるＵＬサブフレームは、コンフィギュレーション０、１、２、３、４及び６においてもＵＬサブフレームである。
【００６１】
コンフィギュレーション割当て
リリース８のＴＤＤでは、以下のサブフレームタイミングの２つの集合、すなわち（１）ＵＬ ＨＡＲＱ制御及びグラントサブフレームタイミングと、（２）ＤＬ ＨＡＲＱ Ａ／Ｎサブフレームタイミングとは、同じパラメータに基づいて、すなわち在圏セルのＵ／Ｄコンフィギュレーション番号に基づいて、設定される。リリース１０のＴＤＤ ＣＡでは、全てのセルにわたる、両方のタイプのサブフレームタイミングは、同じパラメータに基づいて、すなわちＰセルのＵ／Ｄコンフィギュレーション番号に基づいて、設定される。
【００６２】
異なるＵ／Ｄコンフィギュレーションを有するＴＤＤセルのキャリア・アグリゲーションをサポートするために、ユーザ装置は、例示的実施形態の教示内容に従って、以下の２つの番号、すなわち（１）全てのアグリゲーションされるセル間でＵＬ ＨＡＲＱ及びグラント・タイミングを設定するための、ＵＬ制御タイミングコンフィギュレーション番号と、（２）全てのアグリゲーションされるセル間でＤＬ ＨＡＲＱタイミングを設定するための、ＤＬ ＨＡＲＱ制御タイミングコンフィギュレーション番号とを用いてコンフィギュレーションされてもよい。
【００６３】
ＵＬ制御タイミングコンフィギュレーション番号は、図１５のサブフレームタイミングの互換性階層構造において、全てのアグリゲーションされるコンフィギュレーションから上向きの矢印によって接続されうるコンフィギュレーションのコンフィギュレーション番号に設定されてもよい。２つ以上のコンフィギュレーション番号を選択可能である場合、選択される設定は、サブフレームタイミングの互換性階層構造における最下位レベルのコンフィギュレーションであってもよい。選択される設定の結果として、ＰＵＳＣＨグラント及びＡ／ＮフィードバックのためのＤＬサブフレームが増えることがある。以下の例示的事例は、一部の例示的実施形態を説明する目的で提供するものである。
【００６４】
例示的事例１：
コンフィギュレーション１を有するセルとコンフィギュレーション２を有するセルとがアグリゲーションされる場合、ＵＬ制御タイミングコンフィギュレーション番号は、１、６または０に設定されうる。選択される設定は、１であってもよい。
【００６５】
例示的事例２：
コンフィギュレーション１を有するセルとコンフィギュレーション３を有するセルとがアグリゲーションされる場合、ＵＬ制御タイミングコンフィギュレーション番号は、６または０に設定されうる。選択される設定は、２つのＴＤＤセルのＵ／Ｄコンフィギュレーション番号とは異なっているが、６であってもよい。
【００６６】
このＵＬ制御タイミングコンフィギュレーション番号の設定は、全てのＣＣにわたって同一のＰＵＳＣＨグラント及びＰＨＩＣＨタイミングを保証するものであり、ＤＬサブフレームは、Ｐセルのコンフィギュレーションに関わらず、これらのタイミングで利用可能である。すなわち、ＰＵＳＣＨグラントとＰＨＩＣＨサブフレームとは、決して、異なるＣＣにわたって競合しているＵ／Ｄ方向を有するサブフレーム内にはない。この設定は、更に、全てのアグリゲーションされたＣＣからの全てのＵＬフレームが、ＣＣ内またはＣＣ間のいずれかでスケジューリングされうることを保証する。
【００６７】
ＤＬ ＨＡＲＱ制御タイミングコンフィギュレーション番号は、図１５のサブフレームタイミングの互換性階層構造において、全てのアグリゲーションされるコンフィギュレーションから下向きの矢印によって接続されうるコンフィギュレーションのコンフィギュレーション番号に設定されてもよい。２つ以上のコンフィギュレーション番号を選択可能である場合、選択される設定は、サブフレームタイミングの互換性階層構造における最上位レベルのコンフィギュレーションの設定であってもよい。選択される設定の結果として、ＰＤＳＣＨ Ａ／ＮフィードバックのためのＵＬサブフレームが増えることがある。以下の例示的事例は、一部の例示的実施形態を説明する目的で提供するものである。
【００６８】
例示的事例１：
コンフィギュレーション１を有するセルとコンフィギュレーション２を有するセルとがアグリゲーションされる場合、ＤＬ ＨＡＲＱ制御タイミングコンフィギュレーション番号は、２または５に設定されうる。選択される設定は、２であってもよい。
【００６９】
例示的事例２：
コンフィギュレーション１を有するセルとコンフィギュレーション３を有するセルとがアグリゲーションされる場合、ＤＬ ＨＡＲＱ制御タイミングコンフィギュレーション番号は、４または５に設定されうる。選択される設定は、２つのＴＤＤセルのＵ／Ｄコンフィギュレーション番号とは異なっているが、４であってもよい。
【００７０】
このＤＬ ＨＡＲＱ制御タイミングコンフィギュレーション番号の設定は、全てのＣＣにわたって同一のＰＤＳＣＨ Ａ／Ｎフィードバック・タイミングを保証するものであり、ＵＬサブフレームは、Ｐセルのコンフィギュレーションに関わらず、これらのタイミングで利用可能である。
【００７１】
コンフィギュレーション１及び２のＴＤＤセルのキャリア・アグリゲーション例：
コンフィギュレーション１のＴＤＤセルとコンフィギュレーション２のＴＤＤセルとのアグリゲーションをサポートするために、２つのＨＡＲＱ制御タイミングコンフィギュレーション番号は、以下のように設定されうる。
・ＵＬ制御タイミングコンフィギュレーション番号は、１に設定されうる。
・ＤＬ ＨＡＲＱ制御タイミングコンフィギュレーション番号は、２に設定されうる。
これらのコンフィギュレーション番号の設定は、２つのＴＤＤセルのうちのどちらがＰセルとして機能しているのかに関わらず適用可能であることに注意されたい。
【００７２】
図１６は、Ｐセルとしてのコンフィギュレーション１のセルとＳセルとしてのコンフィギュレーション２のセルとのアグリゲーションについての、ＰＵＳＣＨグラント及びＡ／Ｎフィードバック・タイミングを示している。図１７は、Ｐセルとしてのコンフィギュレーション２のセルとＳセルとしてのコンフィギュレーション１のセルとのアグリゲーションについての、ＰＵＳＣＨグラント及びＡ／Ｎフィードバック・タイミングを示している。この分析は、全てのＵＬサブフレームが、（キャリア間スケジューリングがコンフィギュレーションされる場合には）Ｐセルからスケジューリングされうるか、または（キャリア間スケジューリングがコンフィギュレーションされない場合には）Ｓセル自体からスケジューリングされうることを示している。更に、全てのＵＬサブフレームについてのＡ／Ｎフィードバック・タイミングが、明らかに割り当てられている。
【００７３】
図１８は、コンフィギュレーション１のセルとコンフィギュレーション２のセルとのアグリゲーションについての、ＰＤＳＣＨ Ａ／Ｎフィードバック・タイミングを示している。この分析では、ＰセルとＳセルとのどちらにおいても、全てのＰＤＳＣＨについてのＡ／Ｎフィードバックが、Ｐセル上の適切なＵＬサブフレームに明らかに割り当てられていることが確認できる。
【００７４】
コンフィギュレーション１及び３のＴＤＤセルの例示的キャリア・アグリゲーション
コンフィギュレーション１のＴＤＤセルとコンフィギュレーション３のＴＤＤセルとのアグリゲーションをサポートするため、２つのＨＡＲＱ制御タイミングコンフィギュレーション番号は、以下のように設定されうる。
・ＵＬ制御タイミングコンフィギュレーション番号は、６に設定されうる。
・ＤＬ ＨＡＲＱ制御タイミングコンフィギュレーション番号は、４に設定されうる。
これらのコンフィギュレーション番号の設定は、２つのＴＤＤセルのうちのどちらがＰセルとして機能しているのかに関わらず適用可能であることに注意されたい。
【００７５】
図１９は、Ｐセルとしてのコンフィギュレーション１のセルとＳセルとしてのコンフィギュレーション３のセルとのアグリゲーションについての、ＰＵＳＣＨグラント及びＡ／Ｎフィードバック・タイミング（すなわち、上りリンクＡ／Ｎフィードバック・タイミングについて）を示している。図２０は、Ｐセルとしてのコンフィギュレーション３のセルとＳセルとしてのコンフィギュレーション１のセルとのアグリゲーションについての、ＰＵＳＣＨグラント及びＡ／Ｎフィードバック・タイミングを示している。この分析は、全てのＵＬサブフレームが、（キャリア間スケジューリングがコンフィギュレーションされる場合には）Ｐセルからスケジューリングされうるか、あるいは（キャリア間スケジューリングがコンフィギュレーションされない場合には）Ｓセル自体からスケジューリングされうることを示している。更に、全てのＵＬサブフレームについてのＡ／Ｎフィードバック・タイミングが、明らかに割り当てられている。
【００７６】
図２１は、コンフィギュレーション１のセルとコンフィギュレーション３のセルとのアグリゲーションについての、ＰＤＳＣＨ Ａ／Ｎフィードバック・タイミングを示している。この分析では、ＰセルとＳセルとのどちらにおいても、全てのＰＤＳＣＨについてのＡ／Ｎフィードバックが、Ｐセル上の適切なＵＬサブフレームに明らかに割り当てられていることを確認できる。
【００７７】
効率的なストレージに基づくサブフレームタイミングの互換性の算出
上記から分かるはずだが、一部の例示的実施形態によれば、異なるＵ／Ｄコンフィギュレーションを有するアグリゲーションされたＴＤＤセルの所与の集合について、ＵＬ制御タイミングコンフィギュレーション番号及びＤＬ ＨＡＲＱタイミングコンフィギュレーション番号は、例えば図１５に示すような、サブフレームタイミングの互換性階層構造において符号化されたシステマティックな規則に基づいて設定されてもよい。そのように選択されたＵＬ制御タイミングコンフィギュレーション番号及びＤＬ ＨＡＲＱタイミングコンフィギュレーション番号は、アグリゲーションされたセルのＵ／Ｄコンフィギュレーション番号のうちのいずれとも異なっていてもよい。
【００７８】
ＵＬ制御タイミングコンフィギュレーション番号は、図１５のサブフレームタイミングの互換性階層構造において、全てのアグリゲーションされるコンフィギュレーションから上向きの矢印をによって接続されうるコンフィギュレーションのコンフィギュレーション番号に設定されてもよい。２つ以上のコンフィギュレーション番号を選択可能である場合、サブフレームの互換性階層構造における最下位レベルのコンフィギュレーションとなるように設定が選択されてもよい。この設定の結果として、ＰＵＳＣＨグラント及びＡ／ＮフィードバックのためのＤＬサブフレームが増加する。
【００７９】
ＤＬ ＨＡＲＱ制御タイミングコンフィギュレーション番号は、図１５のサブフレームタイミングの互換性階層構造において、全てのアグリゲーションされるコンフィギュレーションから下向きの矢印によって接続されうるコンフィギュレーションのコンフィギュレーション番号に設定されてもよい。２つ以上のコンフィギュレーション番号を選択可能である場合、サブフレームタイミングの互換性階層構造における最上位レベルのコンフィギュレーションとなるように設定が選択されてもよい。この設定の結果として、ＰＤＳＣＨ Ａ／ＮフィードバックのためのＵＬサブフレームが増加する。
【００８０】
また、一部の例示的実施形態は、サブフレームタイミングの互換性階層構造の効率的なデジタル表現及びストレージの方法を対象としてもよい。また、一部の例示的実施形態は、ＵＬ制御タイミングコンフィギュレーション番号とＤＬ ＨＡＲＱ制御タイミングコンフィギュレーション番号とを算出するための効率的な算出方法及び対応する装置を対象としてもよい。
【００８１】
一部の例示的実施形態によれば、サブフレームタイミングの互換性階層構造は、集合のテーブルで表されてもよい。ＵＬ制御タイミングコンフィギュレーション番号及びＤＬ ＨＡＲＱ制御タイミングコンフィギュレーション番号は、集合の共通部分の演算によって算出されてもよい。集合の共通部分の演算の後で２つ以上の制御タイミングコンフィギュレーション番号の候補が存在する場合、ネットワークノードは、少なくともシステム負荷とユーザ装置のアプリケーションのニーズとに基づいて、好適な制御タイミングコンフィギュレーション番号の設定を選択することができる。
【００８２】
ＵＬ制御タイミングコンフィギュレーションの候補集合とＤＬ ＨＡＲＱ制御タイミングコンフィギュレーションの候補集合とが、ＬＴＥセルＵ／Ｄコンフィギュレーションのそれぞれについて記憶されてもよい。以下の表は、候補集合の特定の値の一例を示している。
【００８３】
【表４】
0005938099.tif 000006
【００８４】
一部の例示的実施形態によれば、アグリゲーションされることになるセルＵ／Ｄコンフィギュレーションの所与の集合について、ＵＬ制御タイミングコンフィギュレーション番号は、アグリゲーションされることになるセルＵ／Ｄコンフィギュレーションに対応する全てのＵＬ制御タイミングコンフィギュレーション候補集合の共通部分からのコンフィギュレーション番号に設定されてもよい。以下では、一部の例示的実施形態を説明することを目的として、以下の例示的事例を提示する。
【００８５】
例示的事例１：
コンフィギュレーション１を有するセルとコンフィギュレーション２を有するセルとがアグリゲーションされる場合、対応するＵＬ制御タイミングコンフィギュレーションの候補集合は、｛１，６，０｝と｛２，１，６，０｝であろう。これらの集合全ての共通部分は、｛１，６，０｝と算出することができる。したがって、ＵＬ制御タイミングコンフィギュレーション番号は、１、６または０に設定することができる。
【００８６】
例示的事例２：
コンフィギュレーション１を有するセルとコンフィギュレーション３を有するセルとがアグリゲーションされる場合、対応するＵＬ制御タイミングコンフィギュレーションの候補集合は、｛１，６，０｝と｛３，６，０｝であろう。これらの集合全ての共通部分は、｛６，０｝と算出することができる。したがって、ＵＬ制御タイミングコンフィギュレーション番号は、６または０に設定することができる。
【００８７】
例示的事例３：
コンフィギュレーション１を有するセルとコンフィギュレーション３を有するセルとコンフィギュレーション４を有するセルとがアグリゲーションされる場合、対応するＵＬ制御タイミングコンフィギュレーションの候補集合は、｛１，６，０｝と｛３，６，０｝と｛４，１，３，６，０｝であろう。これらの集合全ての共通部分は、｛６，０｝と算出することができる。したがって、ＵＬ制御タイミングコンフィギュレーション番号は、６または０に設定することができる。
【００８８】
一部の例示的実施形態によれば、アグリゲーションされることになるセルＵ／Ｄコンフィギュレーションの所与の集合について、ＤＬ ＨＡＲＱ制御タイミングコンフィギュレーション番号は、アグリゲーションされることになるセルＵ／Ｄコンフィギュレーションに対応する全てのＤＬ ＨＡＲＱ制御タイミングコンフィギュレーション候補集合の共通部分からのコンフィギュレーション番号に設定されてもよい。以下では、一部の例示的実施形態を説明することを目的として、以下の例示的事例を提示する。
【００８９】
例示的事例１：
コンフィギュレーション１を有するセルとコンフィギュレーション２を有するセルとがアグリゲーションされる場合、対応するＤＬ ＨＡＲＱ制御タイミングコンフィギュレーションの候補集合は、｛１，２，４，５｝と｛２，５｝であろう。これらの集合全ての共通部分は、｛２，５｝と算出することができる。したがって、ＤＬ ＨＡＲＱ制御タイミングコンフィギュレーション番号は、２または５に設定することができる。
【００９０】
例示的事例２：
コンフィギュレーション１を有するセルとコンフィギュレーション３を有するセルとがアグリゲーションされる場合、対応するＤＬ ＨＡＲＱ制御タイミングコンフィギュレーションの候補集合は、｛１，２，４，５｝と｛３，４，５｝であろう。これらの集合全ての共通部分は、｛４，５｝と算出することができる。したがって、ＤＬ ＨＡＲＱ制御タイミングコンフィギュレーション番号は、４または５に設定することができる。
【００９１】
例示的事例３：
コンフィギュレーション１を有するセルとコンフィギュレーション３を有するセルとコンフィギュレーション４を有するセルとがアグリゲーションされる場合、対応するＤＬ ＨＡＲＱ制御タイミングコンフィギュレーションの候補集合は、｛１，２，４，５｝と｛３，４，５｝と｛４，５｝であろう。これらの集合全ての共通部分は、｛４，５｝と算出することができる。したがって、ＤＬ ＨＡＲＱ制御タイミングコンフィギュレーション番号は、４または５に設定することができる。
【００９２】
集合の共通部分の演算の後で２つ以上の制御タイミングコンフィギュレーション番号の候補が存在する場合、ネットワークノードまたはユーザ装置は、少なくともシステム負荷とユーザ装置のアプリケーションのニーズとに基づいて、好適な制御タイミングコンフィギュレーション番号の設定を選択してシグナリングすることができる。制御タイミングのシグナリングは、例えば、無線リソース制御（ＲＲＣ）シグナリングによって行われうる。
【００９３】
一部の例示的実施形態によれば、サブフレームタイミングの互換性階層構造は、順序集合のテーブルで表されうるということは理解されるべきである。ＵＬ制御タイミングコンフィギュレーション番号及びＤＬ ＨＡＲＱ制御タイミングコンフィギュレーション番号は、集合内に番号の順序を保ったままで、集合の共通部分の演算によって算出されうる。選択される制御タイミングコンフィギュレーション番号は、集合の共通部分の演算の後の、最初または最後の番号であってもよい。
【００９４】
ＵＬ制御タイミングコンフィギュレーションの候補集合とＤＬ ＨＡＲＱ制御タイミングコンフィギュレーションの候補集合とが、ＬＴＥセルＵ／Ｄコンフィギュレーションごとに記憶されてもよい。表４は、候補集合または順序集合の特定の値を示している。この表に示す各候補集合に含まれる候補コンフィギュレーション番号の順序が、ストレージ内に保存されてもよい。
【００９５】
アグリゲーションされることになるセルＵ／Ｄコンフィギュレーションの所与の集合について、ＵＬ制御タイミングコンフィギュレーション番号は、アグリゲーションされることになるセルＵ／Ｄコンフィギュレーションに対応する全てのＵＬ制御タイミングコンフィギュレーション候補集合の共通部分からのコンフィギュレーション番号に設定されてもよく、この場合、集合の共通部分の演算は、関係する集合に含まれる番号の順序付けを保存している。以下では、一部の例示的実施形態を説明することを目的として、以下の例示的事例を提示する。
【００９６】
例１：
コンフィギュレーション１を有するセルとコンフィギュレーション２を有するセルとがアグリゲーションされる場合、対応するＵＬ制御タイミングコンフィギュレーションの候補集合または順序集合は、｛１，６，０｝と｛２，１，６，０｝であろう。これらの集合全ての共通部分は、｛１，６，０｝と算出することができる。したがって、選択されるＵＬ制御タイミングコンフィギュレーション番号は、１であってもよい。
【００９７】
例２：
コンフィギュレーション１を有するセルとコンフィギュレーション３を有するセルとがアグリゲーションされる場合、対応するＵＬ制御タイミングコンフィギュレーションの候補集合または順序集合は、｛１，６，０｝と｛３，６，０｝であろう。これらの集合全ての共通部分は、｛６，０｝と算出することができる。したがって、選択されるＵＬ制御タイミングコンフィギュレーション番号は、６であってもよい。
【００９８】
例３：
コンフィギュレーション１を有するセルとコンフィギュレーション３を有するセルとコンフィギュレーション４を有するセルとがアグリゲーションされる場合、対応するＵＬ制御タイミングコンフィギュレーションの候補集合または順序集合は、｛１，６，０｝と｛３，６，０｝と｛４，１，３，６，０｝であろう。これらの集合全ての共通部分は、｛６，０｝と算出することができる。したがって、選択されるＵＬ制御タイミングコンフィギュレーション番号は、６であってもよい。
【００９９】
アグリゲーションされることになるセルＵ／Ｄコンフィギュレーションの所与の集合について、ＤＬ ＨＡＲＱ制御タイミングコンフィギュレーション番号は、アグリゲーションされることになるセルＵ／Ｄコンフィギュレーションに対応する全てのＤＬ ＨＡＲＱ制御タイミングコンフィギュレーション候補集合の共通部分からのコンフィギュレーション番号に設定されてもよく、この場合、集合の共通部分の演算は、関係する集合に含まれる番号の順序付けを保存している。以下では、一部の例示的実施形態を説明することを目的として、以下の例示的事例を提示する。
【０１００】
例１：
コンフィギュレーション１を有するセルとコンフィギュレーション２を有するセルとがアグリゲーションされる場合、対応するＤＬ ＨＡＲＱ制御タイミングコンフィギュレーションの候補集合または順序集合は、｛１，２，４，５｝と｛２，５｝であろう。これらの集合全ての共通部分は、｛２，５｝と算出することができる。したがって、選択されるＤＬ ＨＡＲＱ制御タイミングコンフィギュレーション番号は、２であってもよい。
【０１０１】
例２：
コンフィギュレーション１を有するセルとコンフィギュレーション３を有するセルとがアグリゲーションされる場合、対応するＤＬ ＨＡＲＱ制御タイミングコンフィギュレーションの候補集合または順序集合は、｛１，２，４，５｝と｛３，４，５｝であろう。これらの集合全ての共通部分は、｛４，５｝と算出することができる。したがって、選択されるＤＬ ＨＡＲＱ制御タイミングコンフィギュレーション番号は、４であってもよい。
【０１０２】
例３：
コンフィギュレーション１を有するセルとコンフィギュレーション３を有するセルとコンフィギュレーション４を有するセルとがアグリゲーションされる場合、対応するＤＬ ＨＡＲＱ制御タイミングコンフィギュレーションの候補集合は、｛１，２，４，５｝と｛３，４，５｝と｛４，５｝であろう。これらの集合全ての共通部分は、｛４，５｝と算出することができる。したがって、選択されるＤＬ ＨＡＲＱ制御タイミングコンフィギュレーション番号は、４であってもよい。
【０１０３】
半二重コンフィギュレーション割当ての例
半二重動作だけ可能なユーザ装置は、サブフレームにおいて送信または受信を行うことが可能であるが、両方の動作を行うことはできない。したがって、一部の例示的実施形態によれば、Ｕ／Ｄ方向が競合していないサブフレームは、同じサブフレーム時刻に送信されるＰＤＣＣＨによってスケジューリングされうる（サブフレーム内スケジューリング）。
【０１０４】
ＣＣ間でＵ／Ｄ方向が競合しているサブフレームについては、半二重ユーザ装置は、スケジューリングされた方向を事前に通知される必要がある。ＬＴＥでは、順方向サブフレームＵＬスケジューリングが既に用いられている。しかし、追加の順方向サブフレームＤＬスケジューリングＰＤＣＣＨが必要となる可能性がある。
【０１０５】
例示的実施形態によれば、順方向サブフレームＤＬスケジューリングＰＤＣＣＨについて以下の機能が設計される。
・ＣＣ間スケジューリングがコンフィギュレーションされていない場合、個別のセルについて（ＣＣ内順方向サブフレームＤＬスケジューリングＰＤＣＣＨと称される）追加の順方向サブフレームＤＬスケジューリングＰＤＣＣＨが追加されてもよい。
・ＣＣ間スケジューリングがコンフィギュレーションされている場合、Ｐセルからの追加のＣＣ間順方向サブフレームＤＬスケジューリングＰＤＣＣＨが追加されてもよい。
・順方向スケジューリングタイミングは、同じ目標セルのＵＬグラント・タイミングに基づいてもよい。また、その他の順方向スケジューリングタイミング方法が用いられてもよい。
・順方向サブフレームＤＬスケジューリングＰＤＣＣＨは、柔軟性のあるキャリア・インジケータの教示に従って実装されうる。
【０１０６】
コンフィギュレーション１及び２のＴＤＤセルのキャリア・アグリゲーション例：
コンフィギュレーション１のＴＤＤセルとコンフィギュレーション２のＴＤＤセルとのアグリゲーションをサポートするために、２つのＨＡＲＱ制御タイミングコンフィギュレーション番号は、以下のように設定されてもよい。
・ＵＬ制御タイミングコンフィギュレーション番号は、１に設定されてもよい。
・ＤＬ ＨＡＲＱ制御タイミングコンフィギュレーション番号は、２に設定されてもよい。
【０１０７】
ＣＣ間でＵ／Ｄ方向が競合しているサブフレームについては、半二重ユーザ装置は、スケジューリングされた方向を事前に通知される必要がある。ＵＬグラント・タイミングに基づく追加の順方向サブフレームＤＬスケジューリングＰＤＣＣＨが、以下のように導入されてもよい。
・図２２は、コンフィギュレーション１のセルがＰセルで、かつ、ＣＣ間スケジューリングがコンフィギュレーションされる場合の、（コンフィギュレーション１のセルからの）２つの追加のＣＣ間順方向サブフレームＤＬスケジューリングＰＤＣＣＨを示している。
・図２２は、コンフィギュレーション２のセルがＰセルであるか、またはＣＣ間スケジューリングがコンフィギュレーションされない場合の、（コンフィギュレーション２のセルからの）２つの追加のＣＣ内順方向サブフレームＤＬスケジューリングＰＤＣＣＨを示している。
【０１０８】
コンフィギュレーション１及び３のＴＤＤセルのキャリア・アグリゲーション例：
コンフィギュレーション１のＴＤＤセルとコンフィギュレーション３のＴＤＤセルとのアグリゲーションをサポートするために、２つのＨＡＲＱ制御タイミングコンフィギュレーション番号は、以下のように設定されてもよい。
・ＵＬ制御タイミングコンフィギュレーション番号は、６に設定されてもよい。
・ＤＬ ＨＡＲＱ制御タイミングコンフィギュレーション番号は、４に設定されてもよい。
【０１０９】
ＣＣ間でＵ／Ｄ方向が競合しているサブフレームについては、半二重ユーザ装置は、スケジューリングされた方向を事前に通知される必要がありうる。ＵＬグラント・タイミングに基づく追加の順方向サブフレームＤＬスケジューリングＰＤＣＣＨが、以下のように導入されてもよい。
・ＣＣ間スケジューリングがコンフィギュレーションされない場合、Ｐセル及びＳセルからの３つのＣＣ内順方向サブフレームＤＬスケジューリングＰＤＣＣＨが、図２３に示すように追加されてもよい。
・ＣＣ間スケジューリングがコンフィギュレーションされる場合、Ｐセルからの３つのＣＣ間順方向サブフレームＤＬスケジューリングＰＤＣＣＨが、図２３に示すように追加されてもよい。
【０１１０】
全二重コンフィギュレーション割当ての例
全二重ユーザ装置は、Ｕ／Ｄ方向が競合している異なるＣＣ間のサブフレーム内で、送信と受信とを同時に行うことができる。例示的実施形態の上記の教示によれば、キャリア間スケジューリングがコンフィギュレーションされない場合、全てのＤＬサブフレームは、ＣＣ内及びサブフレーム内でスケジューリングされうる。
【０１１１】
キャリア間スケジューリングがコンフィギュレーションされる場合には、方向が競合していないサブフレームにおいて、スケジューリングセル内のＤＬサブフレームは、他のセル上の同じサブフレーム時刻の他のＤＬサブフレームをスケジューリングするために、キャリア間ＤＬスケジューリングＰＤＣＣＨを搬送できる。また、方向が競合しているサブフレームにおいて、スケジューリングセルがＤＬサブフレームである場合には、当該サブフレームから、他のセル上の同じサブフレーム時刻の他のＤＬサブフレームをスケジューリングするためにＰＤＣＣＨを送信することができる。加えて、方向が競合しているサブフレームにおいて、スケジューリングセルがＵＬサブフレームである場合には、当該サブフレームから、他のセル上の同じサブフレーム時刻の他のＤＬサブフレームをスケジューリングするためにＰＤＣＣＨを送信することはできない。
【０１１２】
したがって、一部の例示的実施形態によれば、スケジューリングセルからのＣＣ間順方向サブフレームＤＬスケジューリングＰＤＣＣＨが有効化されうる。一部の例示的実施形態によれば、半二重動作を対象とした例示的実施形態で設計されたＣＣ間順方向サブフレームＤＬスケジューリングＰＤＣＣＨが、特定のキャリア間スケジューリング・シナリオを有する全二重動作をサポートするために適用される。
【０１１３】
コンフィギュレーション１及び２のＴＤＤセルのキャリア・アグリゲーション例：
コンフィギュレーション１のＴＤＤセルとコンフィギュレーション２のＴＤＤセルとのアグリゲーションをサポートするために、２つのＨＡＲＱ制御タイミングコンフィギュレーション番号は、以下のように設定されてもよい。
・ＵＬ制御タイミングコンフィギュレーション番号は、１に設定されてもよい。
・ＤＬ ＨＡＲＱ制御タイミングコンフィギュレーション番号は、２に設定されてもよい。
【０１１４】
コンフィギュレーション２がＰセルである場合、全てのＤＬサブフレームは、サブフレーム内、及びＣＣ内またはＣＣ間でスケジューリングされてもよい。
【０１１５】
コンフィギュレーション１がＰセルである場合、ＣＣ間スケジューリングがコンフィギュレーションされていないときは、全てのＤＬサブフレームは、ＣＣ内及びサブフレーム内でスケジューリングされうる。ＣＣ間スケジューリングがコンフィギュレーションされている場合、Ｓセル内の全てのＤＬサブフレームは、サブフレーム３及び８を除くサブフレーム内でＣＣスケジューリングされうる。これらの２つのサブフレームは、Ｕ／Ｄ方向が競合しているサブフレームであることに留意されたい。したがって、ここで半二重のソリューションを再利用できる。２つのサブフレームが、これらの２つのサブフレームのＵＬグラント・タイミングに基づいて順方向サブフレームスケジューリングＰＤＣＣＨによってスケジューリングされる。図２４は、２つの追加のＣＣ間順方向サブフレームＤＬスケジューリングＰＤＣＣＨを示している。
【０１１６】
コンフィギュレーション１及び３のＴＤＤセルのキャリア・アグリゲーション例：
コンフィギュレーション１のＴＤＤセルとコンフィギュレーション３のＴＤＤセルとのアグリゲーションをサポートするために、２つのＨＡＲＱ制御タイミングコンフィギュレーション番号は、以下のように設定されてもよい。
・ＵＬ制御タイミングコンフィギュレーション番号は、６に設定されてもよい。
・ＤＬ ＨＡＲＱ制御タイミングコンフィギュレーション番号は、４に設定されてもよい。
【０１１７】
ＣＣ間スケジューリングがコンフィギュレーションされていない場合、全てのＤＬサブフレームは、ＣＣ内及びサブフレーム内でスケジューリングされうる。ＣＣ間スケジューリングがコンフィギュレーションされている場合、Ｓセル内の全てのＤＬサブフレームは、サブフレーム内でＣＣスケジューリングされうるが、ただし、コンフィギュレーション１がＰセルである場合、コンフィギュレーション３におけるサブフレーム７及び８については、サブフレーム内でＣＣ間スケジューリングすることができない。加えて、コンフィギュレーション３がＰセルである場合、サブフレーム４についてはサブフレーム内でＣＣ間スケジューリングすることができない。
【０１１８】
半二重スケジューリングを対象とした例示的実施形態からの半二重ソリューションを用いる場合、（コンフィギュレーション１がＰセルである場合には）２つの、または（コンフィギュレーション３がＰセルである場合には）１つの追加のＣＣ間順方向サブフレームＤＬスケジューリングＰＤＣＣＨが、対応するＵＬグラント・タイミングに基づいて、図２５に示すように用いられる。
【０１１９】
順方向下りリンクスケジューリングの例
半二重及び全二重割当てを対象とする例示的実施形態で導入される順方向サブフレームＤＬスケジューリングＰＤＣＣＨは、新規の特徴であるため、既存のネットワークノードのハードウェア及びソフトウェアのアーキテクチャに組み入れるには複雑な実装を必要とする可能性がある。したがって、そのような新規の順方向サブフレームＤＬスケジューリングＰＤＣＣＨに依存する必要性を減らすことには利点がある。
【０１２０】
一部の例示的実施形態によれば、以下の２つの演算規則が、アグリゲーションされるＣＣ間で方向が競合しているサブフレームについてユーザ装置に実装されうる。
【０１２１】
全二重動作では、ユーザ装置は、（ＵＬ方向のＣＣで送信するためのグラントを事前にユーザ装置が与えられているとしても）ＤＬ方向のＣＣをスケジューリングする際に、ＰＤＣＣＨを監視してもよい。
【０１２２】
半二重動作では、ユーザ装置は、ＵＬ方向のいかなるＣＣにおいても送信するためのグラントを事前に与えられていない場合には、ＤＬ方向のＣＣをスケジューリングする際に、ＰＤＣＣＨを監視してもよい。
【０１２３】
ノード構成の例
図２６は、上記で論じた一部の例示的実施形態を組み込みうる基地局１０３の一例を示す図である。図２６に示すように、基地局１０３は、ネットワーク内で任意の形式の通信または制御信号をそれぞれ受信及び送信するように構成された受信ユニット３０２及び送信ユニット３０４を備えうる。受信ユニット３０２及び送信ユニット３０４は、単一の送受信ユニットとして備えられてもよいことを理解されるべきである。また、受信ユニット３０２及び送信ユニット３０４、または送受信ユニットは、当該技術分野で既知の任意の入力／出力通信ポートの形式であってもよいことを理解されるべきである。
【０１２４】
基地局１０３は、更に、受信ユニット３０２及び送信ユニット３０４と通信しうる少なくとも１つのメモリユニット３０８を備えうる。メモリユニット３０８は、受信または送信されたデータと、実行可能なプログラム命令との少なくともいずれかを記憶するように構成されうる。また、メモリユニット３０８は、タイミングの互換性階層構造と、制御タイミングコンフィギュレーションの候補集合または順序集合との少なくともいずれかを記憶するように構成されうる。メモリユニット３０８は、任意の適切なタイプのコンピュータ可読メモリであってもよいし、揮発性及び不揮発性の少なくともいずれかのタイプであってもよい。
【０１２５】
基地局１０３は、更に、複数のアグリゲーションされるセルについて少なくとも１つのタイミングコンフィギュレーション番号を決定するように構成された決定ユニット３０８を備えている。基地局は、更に、上りリンク−下りリンクコンフィギュレーションをユーザ装置に割り当てるように構成された割当てユニット３１０を備えている。
【０１２６】
決定ユニット３０８及び割当てユニット３１０の少なくともいずれかは、任意の適切なタイプの演算ユニット、例えば、マイクロプロセッサ、デジタルシグナルプロセッサ（ＤＳＰ）、フィールド・プログラマブル・ゲート・アレイ（ＦＰＧＡ）、または特定用途向け集積回路（ＡＳＩＣ）であってもよい。決定ユニット及び割当てユニットの少なくともいずれかは、単一ユニットとして、または何個かのユニットとして備えられうることを理解されるべきである。
【０１２７】
図２７は、上記で論じた一部の例示的実施形態を組み込みうるユーザ装置１０１の一例を示す図である。図２７に示すように、ユーザ装置１０１は、ネットワーク内で任意の形式の通信または制御信号をそれぞれ受信及び送信するように構成された受信ユニット４０１及び送信ユニット４０４を備えうる。受信ユニット４０１及び送信ユニット４０４は、単一の送受信ユニットとして備えられうることを理解されるべきである。また、受信ユニット４０１及び送信ユニット４０４、または送受信ユニットは、当該技術分野で既知のいずれかの入力／出力通信ポートの形であってもよいことを理解されるべきである。
【０１２８】
ユーザ装置１０１は、更に、受信ユニット４０１及び送信ユニット４０４と通信しうる少なくとも１つのメモリユニット４０８を備えうる。メモリユニット４０８は、受信または送信されたデータと、実行可能なプログラム命令との少なくともいずれかを記憶するように構成されうる。また、メモリユニット４０８は、タイミングの互換性階層構造と、ＨＡＲＱ制御タイミングコンフィギュレーションの候補集合または順序集合との少なくともいずれかを記憶するように構成されてもよい。メモリユニット４０８は、任意の適切なタイプのコンピュータ可読メモリであってもよいし、揮発性及び不揮発性の少なくともいずれかのタイプであってもよい。
【０１２９】
ユーザ装置１０１は、更に、少なくとも１つのタイミングコンフィギュレーション番号に基づく制御タイミングを実装するように構成された実装ユニット４０８を備えうる。また、ユーザ装置１０１は、少なくとも１つのタイミングコンフィギュレーション番号を受信または決定するように構成されうる決定ユニット４０２を備えうる。実装ユニット４０８及び決定ユニット４０２の少なくともいずれかは、任意の適切なタイプの演算ユニット、例えばマイクロプロセッサ、デジタルシグナルプロセッサ（ＤＳＰ）、フィールド・プログラマブル・ゲート・アレイ（ＦＰＧＡ）、または特定用途向け集積回路（ＡＳＩＣ）であってもよい。実装ユニット及び決定ユニットは、２つの別個のユニットとして設けられる必要はなく、単一ユニットとして、または何個かのユニットとして設けられうることを理解されるべきである。
【０１３０】
ノードの動作の例
図２８は、図２６の基地局１０３によって行われうる例示的動作を示すフロー図である。
【０１３１】
例示的動作１０：
基地局は、マルチプルキャリアネットワークの複数のアグリゲーションされたセルについて少なくとも１つのタイミングコンフィギュレーション番号を決定する（１０）。アグリゲーションされた各セルは、上りリンク−下りリンクコンフィギュレーション番号に関連付けられる。複数のアグリゲーションされたセルの、少なくとも２つの上りリンク−下りリンクコンフィギュレーション番号は等しくない。複数のアグリゲーションされたセルは、ユーザ装置に関連付けられる。決定ユニット３０８は、当該決定（１０）を実行するように構成される。
【０１３２】
一部の例示的実施形態によれば、少なくとも１つのタイミングコンフィギュレーション番号は、複数のアグリゲーションされたセルにわたって下りリンクＨＡＲＱ Ａ／Ｎタイミングを確立するための下りリンクＨＡＲＱ制御タイミングコンフィギュレーションを示しうるか、または当該下りリンクＨＡＲＱ制御タイミングコンフィギュレーションを決定するのに用いられうる。一部の例示的実施形態によれば、少なくとも１つのタイミングコンフィギュレーション番号は、複数のアグリゲーションされたセルにわたって上りリンクスケジューリンググラント及びＡ／Ｎタイミングの少なくともいずれかを確立するための上りリンク制御タイミングコンフィギュレーション番号を示しうるか、または当該上りリンク制御タイミングコンフィギュレーション番号を決定するのに用いられうる。
【０１３３】
例示的動作１１：
一部の例示的実施形態によれば、決定（１０）は、更に、複数のアグリゲーションされたセルの上りリンク−下りリンクコンフィギュレーション番号に基づいて、少なくとも１つのタイミングコンフィギュレーション番号を決定すること（１１）を含んでいてもよい。決定ユニット３０８は、当該決定（１１）を実行するように構成される。
【０１３４】
一部の例示的実施形態では、少なくとも１つのタイミングコンフィギュレーション番号は、例えば、小見出し「コンフィギュレーション割当て」以下の例示的事例２に示すように、複数のアグリゲーションされたセルの上りリンク−下りリンクコンフィギュレーション番号のうちの１つと等しくなるように決定されてもよい。一部の例示的実施形態では、少なくとも１つのタイミングコンフィギュレーション番号は、例えば、小見出し「コンフィギュレーション割当て」以下の例示的事例１に示すように、複数のアグリゲーションされたセルのいずれの上りリンク−下りリンクコンフィギュレーション番号とも等しくないように決定されてもよい。少なくとも１つのタイミングコンフィギュレーション番号は、制御データが、ユーザ装置及びネットワークとの間で競合することなく送受信されるように決定されてもよい。
【０１３５】
例示的動作１２：
一部の例示的実施形態によれば、決定（１０）は、更に、例えば図１５に示すように、サブフレームタイミングの互換性の順序付けに基づいて上りリンク−下りリンクコンフィギュレーションを決定すること（１２）を含んでいてもよい。決定ユニット３０８は、当該決定（１２）を実行しうる。
【０１３６】
例示的動作１４：
一部の例示的実施形態によれば、決定（１２）は、更に、サブフレームタイミングの互換性の順序付けを、当該順序付けのうちの上位レベルにある上りリンク−下りリンクコンフィギュレーションが、当該順序付けのうちの下位レベルにある上りリンク−下りリンクコンフィギュレーションからの全ての上りリンクサブフレームの上位集合である上りリンクサブフレームを含むように、配列すること（１４）を含んでいてもよい。決定ユニットは、当該配列（１４）を実行するように構成されてもよい。
【０１３７】
例示的動作１６：
一部の例示的実施形態によれば、決定（１２）は、更に、サブフレームタイミングの互換性の順序付けを、当該順序付けのうちの下位レベルにある上りリンク−下りリンクコンフィギュレーションが、当該順序付けのうちの上位レベルにある上りリンク−下りリンクコンフィギュレーションからの全ての下りリンクサブフレームの上位集合である下りリンクサブフレームを含むように、配列すること（１６）を含んでいてもよい。決定ユニットは、当該配列（１６）を実行するように構成されてもよい。
【０１３８】
例示的動作１８：
基地局１０３は、少なくとも１つのタイミングコンフィギュレーション番号をユーザ装置に割り当てる（１８）。割当てユニット３１０は、当該割当て（１８）を実行するように構成される。
【０１３９】
例示的動作２０：
一部の例示的実施形態によれば、割当て（１８）は、更に、図２２乃至図２５で説明したように、競合しているサブフレームの存在下で、ＰＤＣＣＨに対して順方向サブフレーム下りリンクスケジューリングを割り当てること（２０）を含んでいてもよい。割当てユニット３１０は、当該割当て（２０）を実行するように構成されてもよい。
【０１４０】
例示的動作２２：
一部の例示的実施形態によれば、割当て（１８）は、更に、図２２、図２４及び図２５で説明したように、競合しているサブフレームの存在下で、ＰＤＣＣＨに対してコンポーネントキャリア間順方向サブフレーム下りリンクスケジューリングを割り当てること（２２）を含んでいてもよい。割当てユニット３１０は、当該割当て（２２）を実行するように構成されてもよい。
【０１４１】
例示的動作２４：
一部の例示的実施形態によれば、本方法は、上りリンク方向でキャリアコンポーネントを送信するための事前のグラントをユーザ装置が与えられている場合、全二重動作モードにおいて、下りリンクサブフレームを有するスケジューリング・コンポーネントキャリア内のＰＤＣＣＨを監視することによって、順方向サブフレーム下りリンクスケジューリングの使用を規制すること（２４）を、更に含んでいてもよい。割当てユニット及び決定ユニットの少なくともいずれかが、当該規制（２４）を実行してもよい。
【０１４２】
例示的動作２６：
一部の例示的実施形態によれば、本方法は、上りリンク方向でキャリアコンポーネントを送信するための事前のグラントをユーザ装置が与えられていなかった場合、半二重動作モードにおいて、下りリンクサブフレームを有するスケジューリング・コンポーネントキャリア内のＰＤＣＣＨを監視することによって、順方向サブフレーム下りリンクスケジューリングの使用を規制すること（２６）を、更に含んでいてもよい。割当てユニット及び決定ユニットの少なくもいずれかが、当該規制（２６）を実行してもよい。
【０１４３】
例示的動作２８：
一部の例示的実施形態によれば、本方法は、少なくとも１つのタイミングコンフィギュレーション番号をＲＲＣシグナリングによってユーザ装置へ通信すること（２８）も含んでいてもよい。決定ユニット及び送信ユニットの少なくともいずれかが、当該通信（２８）を実行してもよい。
【０１４４】
図２９は、図２７のユーザ装置１０１によって行われうる例示的動作を示すフロー図である。
【０１４５】
例示的動作３０：
ユーザ装置は、マルチプルキャリアネットワークの複数のアグリゲーションされたセルについて少なくとも１つのタイミングコンフィギュレーション番号を決定する（３０）。ここで、アグリゲーションされた各セルは、上りリンク−下りリンクコンフィギュレーション番号に関連付けられており、また、複数のアグリゲーションされたセルの、少なくとも２つの上りリンク−下りリンクコンフィギュレーション番号は等しくない。複数のアグリゲーションされたセルは、ユーザ装置に関連付けられている。決定ユニット３０８は、当該決定（３０）を行うように構成される。
【０１４６】
一部の例示的実施形態によれば、少なくとも１つのタイミングコンフィギュレーション番号は、複数のアグリゲーションされたセルにわたって下りリンクＨＡＲＱ Ａ／Ｎタイミングを確立するためのＨＡＲＱ制御タイミングコンフィギュレーションを示しうるか、または当該ＨＡＲＱ制御タイミングコンフィギュレーションを決定するのに用いられうる。一部の例示的実施形態によれば、少なくとも１つのタイミングコンフィギュレーション番号は、複数のアグリゲーションされたセルにわたって上りリンクスケジューリンググラント及びＡ／Ｎタイミングの少なくともいずれかを確立するための上りリンク制御タイミングコンフィギュレーション番号を示しうるか、または当該上りリンク制御タイミングコンフィギュレーション番号を決定するのに用いられうる。
【０１４７】
例示的動作３１：
一部の例示的実施形態によれば、決定（３０）は、更に、少なくとも１つのタイミングコンフィギュレーションを基地局から受信すること（３１）を含んでいてもよい。少なくとも１つのタイミングコンフィギュレーション番号は、ＲＲＣシグナリングによって受信されうることを理解されるべきである。決定ユニット及び受信ユニットの少なくともいずれかは、当該受信（３１）を実行するように構成されてもよい。
【０１４８】
例示的動作３２：
一部の例示的実施形態によれば、決定（３０）は、更に、制御データがユーザ装置及びネットワークとの間で競合することなく送受信されるように、少なくとも１つのタイミングコンフィギュレーション番号を決定すること（３２）を含んでいてもよい。決定ニットは、当該決定（３２）を実行するように構成されてもよい。
【０１４９】
例示的動作３３：
ユーザ装置１０１は、少なくとも１つのタイミングコンフィギュレーション番号に基づく制御タイミングを実装する（３３）。実装ユニット４０８は、当該実装動作を実行するように構成される。
【０１５０】
一部の例示的実施形態では、少なくとも１つのタイミングコンフィギュレーション番号は、例えば、小見出し「コンフィギュレーション割当て」以下の例示的事例２に示すように、複数のアグリゲーションされたセルの上りリンク−下りリンクコンフィギュレーション番号のうちの１つと等しくなるように実装されてもよい。一部の例示的実施形態では、少なくとも１つのタイミングコンフィギュレーション番号は、例えば、小見出し「コンフィギュレーション割当て」以下の例示的事例１に示すように、複数のアグリゲーションされたセルのいずれの上りリンク−下りリンクコンフィギュレーション番号とも等しくないように実装されてもよい。
【０１５１】
例示的動作３４：
一部の例示的実施形態によれば、実装（３３）は、更に、競合しているサブフレームの存在下で、ＰＤＣＣＨに対して順方向サブフレーム下りリンクをスケジューリングすること（３４）を含んでいてもよい。実装ユニット４０８は、当該スケジューリング（３４）を実行するように構成されてもよい。
【０１５２】
例示的動作３６：
一部の例示的実施形態によれば、実装（３３）は、更に、競合しているサブフレームの存在下で、ＰＤＣＣＨに対してコンポーネントキャリア間順方向サブフレーム下りリンクをスケジューリングすること（３６）を含んでいてもよい。実装ユニット４０８は、当該スケジューリング（３６）を実行するように構成されてもよい。
【０１５３】
例示的動作３７：
一部の例示的実施形態によれば、実装（３３）は、更に、制御データがユーザ装置及びネットワークとの間で競合することなく送受信されるように、少なくとも１つのタイミングコンフィギュレーションに基づいて、当該制御データをスケジューリングすること（３７）を含んでいてもよい。
【０１５４】
結論
本明細書で提供された例示的実施形態の説明は、例示する目的で提示されたものである。本説明は、網羅的であることも、開示されたまさにその形態に例示的実施形態を限定することも意図されておらず、修正や変形が、上記の教示に照らして可能であるか、または、提供された実施形態に対する各種の代替形態の実施から得られうる。本明細書で論じた例は、各種の例示的実施形態の原理と性質、及びその実用的な応用例を説明することによって、当業者が、例示的実施形態を各種の方法で、また、考えられる具体的に使用に適した各種の修正と共に、利用できるようにするために、選択及び記述されている。本明細書で説明された実施形態の特徴は、方法、装置、モジュール、システム及びコンピュータプログラムの全ての可能性のある組み合わせで組み合わされうる。本明細書で提示された例示的実施形態は、互いにいかなる組み合わせで実施されてもよいことを理解されるべきである。
【０１５５】
「備える、含む（comprising）」という用語は、リストされるもの以外の要素またはステップの存在を必ずしも除外せず、また、要素の前にある「a」若しくは「an」という用語は、複数のそのような要素の存在を除外しないことに留意されたい。いかなる引用符号も請求項の範囲を限定せず、例示的実施形態が、少なくとも部分的にハードウェア及びソフトウェアの両方を用いて実装されてもよく、また、複数の「手段」、「ユニット」または「デバイス」が、同じハードウェアのアイテムによって表現されてもよいことにも留意されたい。
【０１５６】
本明細書で用いる場合の「デバイス」という用語は、インターネット／イントラネットアクセス、ウェブブラウザ、オーガナイザ、カレンダ、カメラ（例えばビデオカメラ及びスチールカメラの少なくともいずれか）、録音器（例えば、マイクロホン）、及びＧＰＳ（全地球測位システム）受信機の少なくともいずれかの能力を有する無線電話器と、セルラー無線電話とデータ処理とを組み合わせうるＰＣＳ（パーソナルコミュニケーションシステム）ユーザ装置と、無線電話または無線通信システムを含みうるＰＤＡ（携帯情報端末）と、ラップトップと、通信能力を有するカメラ（例えばビデオカメラ及びスチールカメラの少なくともいずれか）と、パーソナルコンピュータ、ホームエンタテイメントシステム、ＴＶ等のような、送受信が可能なその他の任意の演算デバイスまたは通信デバイスと、を含むように広く解釈されるべきである。
【０１５７】
本説明は、主に、測定または記録ユニットとしてのユーザ装置に関して行なわれているが、「ユーザ装置」とは、ＤＬで受信してＵＬで送信することが可能な任意の無線デバイス、端末またはノードを（例えば、ＰＤＡ、ラップトップ、モバイル、センサ、固定式中継器、移動式中継器、または、例えばフェムト基地局のような無線基地局をも）意味する非限定的な用語であることは、当業者には理解されるべきである。
【０１５８】
セルは、無線ノードに関連付けられており、ここで、例示的実施形態の説明において互いに置き換え可能に用いられる無線ノードまたは無線ネットワークノードまたはｅノードＢは、例えば、ｅノードＢ、マクロ／マイクロ／ピコ基地局、ホームｅノードＢ、中継器、ビーコンデバイス、リピータなど、一般的な意味で、測定に用いられる無線信号を送信する任意のノードをも含んでいる。本明細書で無線ノードは、１つ以上の周波数または周波数帯で動作する無線ノードを含んでいてもよい。無線ノードは、ＣＡが可能な無線ノードであってもよい。無線ノードは、シングルまたはマルチＲＡＴノードであってもよい。マルチＲＡＴノードには、同一位置に配置されたＲＡＴを有するノード、マルチスタンダード無線（ＭＳＲ：multi-standard radio）をサポートしているノード、または混合型無線ノードが含まれていてもよい。
【０１５９】
本明細書で説明された各種の例示的実施形態は、方法のステップまたはプロセスという一般的な文脈で説明されており、それは一態様では、ネットワーク環境にあるコンピュータによって実行される、例えばプログラムコードのようなコンピュータで実行可能な命令を含む、コンピュータ可読媒体において具体化される、コンピュータプログラムによって実装されてもよい。コンピュータ可読媒体には、ＲＯＭ（Read Only Memory）、ＲＡＭ（Random Access Memory）、ＣＤ、ＤＶＤ等を含む取り外し可能及び取り外し不可能なストレージデバイスが含まれていてもよいが、それらに限定されない。一般に、プログラムモジュールは、具体的なタスクを実行するかまたは特定の抽象的なデータタイプを実装するルーチン、プログラム、オブジェクト、コンポーネント、データ構造等を含んでいてもよい。コンピュータで実行可能な命令、関連するデータ構造、及びプログラムモジュールは、本明細書で開示した方法のステップを実行するためのプログラムコードの代表例である。そのような実行可能な命令または関連するデータ構造の特定のシーケンスは、そのようなステップまたはプロセスで説明された機能を実装するための対応する動作の代表例である。
【０１６０】
図面及び明細書では例示的実施形態を開示してきた。しかし、これらの実施形態に対しては、多くの変形及び修正を行うことが可能である。したがって、特定の用語が採用されてはいるが、それらは、一般的かつ記述的な意味でのみ用いられているのであって、限定を目的としておらず、実施形態の範囲は、以下の請求項によって規定される。
【図１】
0005938099.tif 000007
【図２】
0005938099.tif 000008
【図３】
0005938099.tif 000009
【図４】
0005938099.tif 000010
【図５】
0005938099.tif 000011
【図６】
0005938099.tif 000012
【図７】
0005938099.tif 000013
【図８】
0005938099.tif 000014
【図９】
0005938099.tif 000015
【図１０】
0005938099.tif 000016
【図１１】
0005938099.tif 000017
【図１２】
0005938099.tif 000018
【図１３】
0005938099.tif 000019
【図１４】
0005938099.tif 000020
【図１５】
0005938099.tif 000021
【図１６】
0005938099.tif 000022
【図１７】
0005938099.tif 000023
【図１８】
0005938099.tif 000024
【図１９】
0005938099.tif 000025
【図２０】
0005938099.tif 000026
【図２１】
0005938099.tif 000027
【図２２】
0005938099.tif 000028
【図２３】
0005938099.tif 000029
【図２４】
0005938099.tif 000030
【図２５】
0005938099.tif 000031
【図２６】
0005938099.tif 000032
【図２７】
0005938099.tif 000033
【図２８】
0005938099.tif 000034
【図２９】
0005938099.tif 000035